(57)【特許請求の範囲】
【請求項１】
無線通信システムで端末がＰＵＣＣＨを通じて制御情報を伝送する方法であって、
前記制御情報の変調シンボル列を、第１の変調シンボル列と第２の変調シンボル列を供給するために分周するステップと、
前記第１の変調シンボル列を長さＭの第１のコードを用いて拡散して、Ｍ個の拡散された列を供給するステップであって、前記Ｍ個の拡散された列のそれぞれは、前記ＰＵＣＣＨの１番目のスロット内のそれぞれのＳＣ−ＦＤＭＡシンボルにマッピングされるステップと、
前記第２の変調シンボル列を長さＮの第２のコードを用いて拡散して、Ｎ個の拡散された列を供給するステップであって、前記Ｎ個の拡散された列のそれぞれは、前記ＰＵＣＣＨの２番目のスロット内のそれぞれのＳＣ−ＦＤＭＡシンボルにマッピングされるステップと、
前記１番目及び２番目のスロット内の対応するＳＣ−ＦＤＭＡシンボルを通じて、前記Ｎ個及びＭ個の拡散された列のＤＦＴ変換された信号を伝送するステップと、を含み、
前記第２のコードの長さＮは、ＰＵＣＣＨ伝送のためのＳＣ−ＦＤＭＡシンボルの個数によって可変する、制御情報伝送方法。
【請求項２】
前記第１のコードの長さＭは、前記ＰＵＣＣＨ伝送のためのＳＣ−ＦＤＭＡシンボルの個数によらずに一定であることを特徴とする、請求項１に記載の制御情報伝送方法。
【請求項３】
前記ＰＵＣＣＨ伝送のためのＳＣ−ＦＤＭＡシンボルの個数が１０の場合に、前記第２のコードの長さＮは、Ｍであり、
前記ＰＵＣＣＨ伝送のためのＳＣ−ＦＤＭＡシンボルの個数が９の場合に、前記第２のコードの長さＮは、Ｍ−１であることを特徴とする、請求項１に記載の制御情報伝送方法。
【請求項４】
前記ＰＵＣＣＨ伝送のためのＳＣ−ＦＤＭＡシンボルの個数が１０の場合に、前記第２のコードは、コードセット１から選択され、
前記ＰＵＣＣＨ伝送のためのＳＣ−ＦＤＭＡシンボルの個数が９の場合に、前記第２のコードは、コードセット２から選択されることを特徴とする、請求項１に記載の制御情報伝送方法。
【表１】
0005890391.tif 000085
【請求項５】
前記ＰＵＣＣＨ伝送のためのＳＣ−ＦＤＭＡシンボルの個数が１０の場合に、前記２番目のスロットで前記ＤＦＴ変換された信号が伝送されるＳＣ−ＦＤＭＡシンボルのインデックスは、標準巡回プレフィックスの場合に０、２、３、４及び６であり、拡張巡回プレフィックスの場合に０、１、２、４及び５であり、
前記ＰＵＣＣＨ伝送のためのＳＣ−ＦＤＭＡシンボルの個数が９の場合に、前記２番目のスロットで前記ＤＦＴ変換された信号が伝送されるＳＣ−ＦＤＭＡシンボルのインデックスは、標準巡回プレフィックスの場合に０、２、３及び４であり、拡張巡回プレフィックスの場合に０、１、２及び４であることを特徴とする、請求項４に記載の制御情報伝送方法。
【請求項６】
無線通信システムにおいてＰＵＣＣＨを通じて制御情報を伝送するように構成された端末であって、
ＲＦユニットと、
プロセッサと、を備え、
前記プロセッサは、前記制御情報の変調シンボル列を、第１の変調シンボル列と第２の変調シンボル列を供給するために分周し、前記第１の変調シンボル列を長さＭの第１のコードを用いて拡散して、Ｍ個の拡散された列を供給し、前記Ｍ個の拡散された列のそれぞれは、前記ＰＵＣＣＨの１番目のスロット内のそれぞれのＳＣ−ＦＤＭＡシンボルにマッピングされ、前記第２の変調シンボル列を長さＮの第２のコードを用いて拡散して、Ｎ個の拡散された列を供給し、前記Ｎ個の拡散された列のそれぞれは、前記ＰＵＣＣＨの２番目のスロット内のそれぞれのＳＣ−ＦＤＭＡシンボルにマッピングされ、前記１番目及び２番目のスロット内の対応するＳＣ−ＦＤＭＡシンボルを通じて、前記Ｎ個及びＭ個の拡散された列のＤＦＴ変換された信号を伝送するように構成され、
前記第２のコードの長さＮは、ＰＵＣＣＨ伝送のためのＳＣ−ＦＤＭＡシンボルの個数によって可変する、端末。
【請求項７】
前記第１のコードの長さＭは、前記ＰＵＣＣＨ伝送のためのＳＣ−ＦＤＭＡシンボルの個数によらずに一定であることを特徴とする、請求項６に記載の端末。
【請求項８】
前記ＰＵＣＣＨ伝送のためのＳＣ−ＦＤＭＡシンボルの個数が１０の場合に、前記第２のコードの長さＮは、Ｍであり、
前記ＰＵＣＣＨ伝送のためのＳＣ−ＦＤＭＡシンボルの個数が９の場合に、前記第２のコードの長さＮは、Ｍ−１であることを特徴とする、請求項６に記載の端末。
【請求項９】
前記ＰＵＣＣＨ伝送のためのＳＣ−ＦＤＭＡシンボルの個数が１０の場合に、前記第２のコードはコードセット１から選択され、
前記ＰＵＣＣＨ伝送のためのＳＣ−ＦＤＭＡシンボルの個数が９の場合に、前記第２のコードはコードセット２から選択されることを特徴とする、請求項６に記載の端末。
【表２】
0005890391.tif 000086
【請求項１０】
前記ＰＵＣＣＨ伝送のためのＳＣ−ＦＤＭＡシンボルの個数が１０の場合に、前記２番目のスロットで前記ＤＦＴ変換された信号が伝送されるＳＣ−ＦＤＭＡシンボルのインデックスは、標準巡回プレフィックスの場合に０、２、３、４及び６であり、拡張巡回プレフィックスの場合に０、１、２、４及び５であり、
前記ＰＵＣＣＨ伝送のためのＳＣ−ＦＤＭＡシンボルの個数が９の場合に、前記２番目のスロットで前記ＤＦＴ変換された信号が伝送されるＳＣ−ＦＤＭＡシンボルのインデックスは、標準巡回プレフィックスの場合に０、２、３及び４であり、拡張巡回プレフィックスの場合に０、１、２及び４であることを特徴とする、請求項９に記載の端末。
【発明の詳細な説明】
【技術分野】
【０００１】
本発明は、無線通信システムに係り、特に、制御情報を伝送する方法及び装置に関する。無線通信システムは、キャリア組み合わせ（Ｃａｒｒｉｅｒ  Ａｇｇｒｅｇａｔｉｏｎ：ＣＡ）を支援することができる。
【背景技術】
【０００２】
無線通信システムが音声やデータなどのような種々の通信サービスを提供するために広範囲に展開されている。一般に、無線通信システムは、可用システムリソース（帯域幅、伝送パワーなど）を共有してマルチユーザーとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を効率よく伝送する方法及びそのための装置を提供することにある。本発明の他の目的は、制御情報を効率よく伝送するためのチャネルフォーマット、信号処理、及びそのための装置を提供することにある。本発明のさらに他の目的は、制御情報を伝送するためのリソースを効率よく割り当てる方法及びそのための装置を提供することにある。
【０００４】
本発明で達成しようとする技術的課題は、以上に言及している技術的課題に制限されるものではなく、言及していない他の技術的課題は、下の記載から、本発明の属する技術の分野における通常の知識を有する者には明らかになるであろう。
【課題を解決するための手段】
【０００５】
本発明の一様相として、無線通信システムにおいて端末がＰＵＣＣＨ（Ｐｈｙｓｉｃａｌ  Ｕｐｌｉｎｋ  Ｃｏｎｔｒｏｌ  Ｃｈａｎｎｅｌ）を通じて制御情報を伝送する方法において、前記制御情報のための変調シンボル列を、前記ＰＵＣＣＨ上の２つのスロットに対応するように分周すること、１番目のスロットに対応するように分周された変調シンボル列を、第１のコードを用いて複数のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルに対応するように拡散すること、前記１番目のスロットで前記複数のＳＣ−ＦＤＭＡシンボルに対応するように拡散された変調シンボル列を、ＳＣ−ＦＤＭＡシンボル単位にＤＦＴ（Ｄｉｓｃｒｅｔｅ  Ｆｏｕｒｉｅｒ  Ｔｒａｎｓｆｏｒｍ）変換すること、２番目のスロットに対応するように分周された変調シンボル列を、第２のコードを用いて複数のＳＣ−ＦＤＭＡシンボルに対応するように拡散すること、前記２番目のスロットで前記複数のＳＣ−ＦＤＭＡシンボルに対応するように拡散された変調シンボル列を、ＳＣ−ＦＤＭＡシンボル単位にＤＦＴ変換すること、及び、前記１番目及び２番目のスロットで該当のＳＣ−ＦＤＭＡシンボルを通じてＤＦＴ変換された信号を伝送すること、を含み、前記第２のコードの長さは、ＰＵＣＣＨ伝送のためのＳＣ−ＦＤＭＡシンボルの個数によって可変する、制御情報伝送方法が提供される。
【０００６】
本発明の他の様相として、無線通信システムにおいてＰＵＣＣＨ（Ｐｈｙｓｉｃａｌ  Ｕｐｌｉｎｋ  Ｃｏｎｔｒｏｌ  Ｃｈａｎｎｅｌ）を通じて制御情報を伝送するように構成された端末において、ＲＦ（Ｒａｄｉｏ  Ｆｒｅｑｕｅｎｃｙ）ユニットと、プロセッサと、を備え、前記プロセッサは、前記制御情報のための変調シンボル列を、前記ＰＵＣＣＨ上の２つのスロットに対応するように分周し、１番目のスロットに対応するように分周された変調シンボル列を、第１のコードを用いて複数のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルに対応するように拡散し、前記１番目のスロットで前記複数のＳＣ−ＦＤＭＡシンボルに対応するように拡散された変調シンボル列を、ＳＣ−ＦＤＭＡシンボル単位にＤＦＴ（Ｄｉｓｃｒｅｔｅ  Ｆｏｕｒｉｅｒ  Ｔｒａｎｓｆｏｒｍ）変換し、２番目のスロットに対応するように分周された変調シンボル列を、第２のコードを用いて複数のＳＣ−ＦＤＭＡシンボルに対応するように拡散し、前記２番目のスロットで前記複数のＳＣ−ＦＤＭＡシンボルに対応するように拡散された変調シンボル列を、ＳＣ−ＦＤＭＡシンボル単位にＤＦＴ変換し、前記１番目及び２番目のスロットで該当のＳＣ−ＦＤＭＡシンボルを通じてＤＦＴ変換された信号を伝送するように構成され、前記第２のコードの長さは、ＰＵＣＣＨ伝送のためのＳＣ−ＦＤＭＡシンボルの個数によって可変する、端末が提供される。
【０００７】
好適には、前記第１のコードの長さは、前記ＰＵＣＣＨ伝送のためのＳＣ−ＦＤＭＡシンボルの個数によらずに一定である。
【０００８】
好適には、前記ＰＵＣＣＨ伝送のためのＳＣ−ＦＤＭＡシンボルの個数がＮの場合に、前記第２のコードの長さはＭであり、前記ＰＵＣＣＨ伝送のためのＳＣ−ＦＤＭＡシンボルの個数がＮ−１の場合に、前記第２のコードの長さはＭ−１である。
【０００９】
好適には、標準巡回プレフィックスの場合に、Ｎは１２で、Ｍは５であり、拡張巡回プレフィックスの場合に、Ｎは１０で、Ｍは５であり、前記Ｎは、参照信号伝送のためのＳＣ−ＦＤＭＡシンボルの個数を含む。
【００１０】
好適には、前記ＰＵＣＣＨ伝送のためのＳＣ−ＦＤＭＡシンボルの個数がＮの場合に、前記第２のコードはコードセット１から選択され、前記ＰＵＣＣＨ伝送のためのＳＣ−ＦＤＭＡシンボルの個数がＮ−１の場合に、前記第２のコードはコードセット２から選択される。
【００１１】
【表１】
0005890391.tif 000002
【００１２】
好適には、前記ＰＵＣＣＨ伝送のためのＳＣ−ＦＤＭＡシンボルの個数がＮの場合に、前記２番目のスロットで前記ＤＦＴ変換された信号が伝送されるＳＣ−ＦＤＭＡシンボルのインデックスは、標準巡回プレフィックスの場合に０、２、３、４及び６であり、拡張巡回プレフィックスの場合に０、１、２、４及び５であり、前記ＰＵＣＣＨ伝送のためのＳＣ−ＦＤＭＡシンボルの個数がＮ−１の場合に、前記２番目のスロットで前記ＤＦＴ変換された信号が伝送されるＳＣ−ＦＤＭＡシンボルのインデックスは、標準巡回プレフィックスの場合に０、２、３及び４であり、拡張巡回プレフィックスの場合に０、１、２及び４である。
【発明の効果】
【００１３】
本発明によれば、無線通信システムにおいて制御情報を効率的に伝送することが可能になる。また、制御情報を効率的に伝送するためのチャネルフォーマット、信号処理方法を提供することが可能になる。また、制御情報伝送のためのリソースを効率的に割り当てることが可能になる。
【００１４】
本発明で得られる効果は、以上で言及した効果に制限されず、言及していない他の効果は、下の記載から、本発明の属する技術の分野における通常の知識を有する者には明確に理解されるであろう。
本発明に関する理解を助けるために詳細な説明の一部として含まれる添付図面は、本発明に係る実施例を提供し、詳細な説明と共に本発明の技術的思想を説明する。
【図面の簡単な説明】
【００１５】
【図１】無線通信システムの一例である３ＧＰＰ ＬＴＥシステムに用いられる物理チャネル及びこれらのチャネルを用いた一般的な信号伝送方法を例示する図である。
【図２】アップリンク信号処理手順を例示する図である。
【図３】ダウンリンク信号処理手順を例示する図である。
【図４】ＳＣ−ＦＤＭＡ方式とＯＦＤＭＡ方式を例示する図である。
【図５】単一搬送波特性を満たすための周波数ドメイン上の信号マッピング方式を例示する図である。
【図６】クラスタＳＣ−ＦＤＭＡにおいてＤＦＴプロセス出力サンプルが単一キャリアにマッピングされる信号処理手順を例示する図である。
【図７】クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を例示する図である。
【図８】クラスタＳＣ−ＦＤＭＡにおいてＤＦＴプロセス出力サンプルがマルチキャリアにマッピングされる信号処理手順を例示する図である。
【図９】セグメントＳＣ−ＦＤＭＡにおける信号処理手順を例示する図である。
【図１０】アップリンクサブフレームの構造を例示する図である。
【図１１】アップリンクで参照信号（Ｒｅｆｅｒｅｎｃｅ  Ｓｉｇｎａｌ：ＲＳ）を伝送するための信号処理手順を例示する図である。
【図１２Ａ】ＰＵＳＣＨのためのＤＭＲＳ（ｄｅｍｏｄｕｌａｔｉｏｎ  ｒｅｆｅｒｅｎｃｅ  ｓｉｇｎａｌ）構造を例示する図である。
【図１２Ｂ】ＰＵＳＣＨのためのＤＭＲＳ構造を例示する図である。
【図１３】ＰＵＣＣＨフォーマット１ａ及び１ｂのスロットレベル構造を例示する図である。
【図１４】ＰＵＣＣＨフォーマット１ａ及び１ｂのスロットレベル構造を例示する図である。
【図１５】ＰＵＣＣＨフォーマット２／２ａ／２ｂのスロットレベル構造を例示する図である。
【図１６】ＰＵＣＣＨフォーマット２／２ａ／２ｂのスロットレベル構造を例示する図である。
【図１７】ＰＵＣＣＨフォーマット１ａ及び１ｂに対するＡＣＫ／ＮＡＣＫチャネル化を例示する図である。
【図１８】同一のＰＲＢ内でＰＵＣＣＨフォーマット１／１ａ／１ｂ及びフォーマット２／２ａ／２ｂの混合構造に対するチャネル化を例示する図である。
【図１９】ＰＵＣＣＨ伝送のためのＰＲＢ割当を例示する図である。
【図２０】基地局でダウンリンクコンポーネントキャリアを管理する概念を例示する図である。
【図２１】端末でアップリンクコンポーネントキャリアを管理する概念を例示する図である。
【図２２】基地局で一つのＭＡＣがマルチキャリアを管理する概念を例示する図である。
【図２３】端末で一つのＭＡＣがマルチキャリアを管理する概念を例示する図である。
【図２４】基地局で一つのＭＡＣがマルチキャリアを管理する概念を例示する図である。
【図２５】端末で複数のＭＡＣがマルチキャリアを管理する概念を例示する図である。
【図２６】基地局で複数のＭＡＣがマルチキャリアを管理する概念を例示する図である。
【図２７】端末の受信観点で、一つ以上のＭＡＣがマルチキャリアを管理する概念を例示する図である。
【図２８】複数のＤＬ ＣＣと１つのＵＬ ＣＣとがリンクされた非対称キャリア組み合わせを例示する図である。
【図２９Ａ】本発明の一実施例に係るＰＵＣＣＨフォーマットとそのための信号処理過程を例示する図である。
【図２９Ｂ】本発明の一実施例に係るＰＵＣＣＨフォーマットとそのための信号処理過程を例示する図である。
【図２９Ｃ】本発明の一実施例に係るＰＵＣＣＨフォーマットとそのための信号処理過程を例示する図である。
【図２９Ｄ】本発明の一実施例に係るＰＵＣＣＨフォーマットとそのための信号処理過程を例示する図である。
【図２９Ｅ】本発明の一実施例に係るＰＵＣＣＨフォーマットとそのための信号処理過程を例示する図である。
【図２９Ｆ】本発明の一実施例に係るＰＵＣＣＨフォーマットとそのための信号処理過程を例示する図である。
【図３０】本発明の一実施例に係るＰＵＣＣＨフォーマットとそのための信号処理過程を例示する図である。
【図３１】本発明の一実施例に係るＰＵＣＣＨフォーマットとそのための信号処理過程を例示する図である。
【図３２】本発明の一実施例に係るＰＵＣＣＨフォーマットとそのための信号処理過程を例示する図である。
【図３３】本発明の一実施例に係るＰＵＣＣＨフォーマットとそのための信号処理過程を例示する図である。
【図３４】本発明の一実施例に係るＰＵＣＣＨフォーマットとそのための信号処理過程を例示する図である。
【図３５Ａ】本発明の一実施例に係るＰＵＣＣＨリソースを例示する図である。
【図３５Ｂ】本発明の一実施例に係るＰＵＣＣＨリソースを例示する図である。
【図３６Ａ】本発明の一実施例に係るＰＵＣＣＨリソースを例示する図である。
【図３６Ｂ】本発明の一実施例に係るＰＵＣＣＨリソースを例示する図である。
【図３７Ａ】本発明の一実施例に係るＰＵＣＣＨリソースを例示する図である。
【図３７Ｂ】本発明の一実施例に係るＰＵＣＣＨリソースを例示する図である。
【図３８Ａ】本発明の一実施例に係るＰＵＣＣＨリソースを例示する図である。
【図３８Ｂ】本発明の一実施例に係るＰＵＣＣＨリソースを例示する図である。
【図３９Ａ】本発明の一実施例に係るＰＵＣＣＨリソースを例示する図である。
【図３９Ｂ】本発明の一実施例に係るＰＵＣＣＨリソースを例示する図である。
【図４０Ａ】本発明の一実施例に係るＰＵＣＣＨリソースを例示する図である。
【図４０Ｂ】本発明の一実施例に係るＰＵＣＣＨリソースを例示する図である。
【図４１】本発明の一実施例に係るＰＵＣＣＨリソースを例示する図である。
【図４２Ａ】本発明の一実施例に係るＰＵＣＣＨリソースを例示する図である。
【図４２Ｂ】本発明の一実施例に係るＰＵＣＣＨリソースを例示する図である。
【図４２Ｃ】本発明の一実施例に係るＰＵＣＣＨリソースを例示する図である。
【図４２Ｄ】本発明の一実施例に係るＰＵＣＣＨリソースを例示する図である。
【図４２Ｅ】本発明の一実施例に係るＰＵＣＣＨリソースを例示する図である。
【図４２Ｆ】本発明の一実施例に係るＰＵＣＣＨリソースを例示する図である。
【図４３】本発明の一実施例に係るＰＵＣＣＨフォーマットとそのための信号処理過程を例示する図である。
【図４４】本発明の一実施例によって第１のＵＣＩ及び第２のＵＣＩを同時に伝送する方案を例示する図である。
【図４５】本発明の一実施例によって新規ＰＵＣＣＨフォーマット及びＳＲＳの同時伝送を支援する方案を例示する図である。
【図４６】本発明の一実施例によって新規ＰＵＣＣＨフォーマット及びＳＲＳの同時伝送を支援する方案を例示する図である。
【図４７Ａ】本発明の一実施例によって新規ＰＵＣＣＨフォーマット及びＳＲＳの同時伝送を支援する方案を例示する図である。
【図４７Ｂ】本発明の一実施例によって新規ＰＵＣＣＨフォーマット及びＳＲＳの同時伝送を支援する方案を例示する図である。
【図４８Ａ】本発明の一実施例によって新規ＰＵＣＣＨフォーマット及びＳＲＳの同時伝送を支援する方案を例示する図である。
【図４８Ｂ】本発明の一実施例によって新規ＰＵＣＣＨフォーマット及びＳＲＳの同時伝送を支援する方案を例示する図である。
【図４９】本発明の一実施例によってＰＵＣＣＨフォーマット２を用いてＵＣＩを伝送する例を示す図である。
【図５０】本発明の一実施例によってＰＵＣＣＨフォーマット２を用いてＵＣＩを伝送する例を示す図である。
【図５１】本発明の一実施例によってＰＵＣＣＨフォーマット２を用いてＵＣＩを伝送する例を示す図である。
【図５２】本発明の一実施例によってＰＵＣＣＨフォーマット２を用いてＵＣＩを伝送する例を示す図である。
【図５３】本発明の一実施例によってＰＵＣＣＨフォーマット２を用いてＵＣＩを伝送する例を示す図である。
【図５４】本発明の一実施例によってＰＵＣＣＨフォーマット２を用いてＵＣＩを伝送する例を示す図である。
【図５５】本発明の一実施例によってＰＵＣＣＨフォーマット２を用いてＵＣＩを伝送する例を示す図である。
【図５６】本発明の一実施例によってＰＵＣＣＨフォーマット２を用いてＵＣＩを伝送する例を示す図である。
【図５７】本発明の一実施例によってＰＵＣＣＨフォーマット２を用いてＵＣＩを伝送する例を示す図である。
【図５８】本発明の一実施例によってＰＵＣＣＨフォーマット２を用いてＵＣＩを伝送する例を示す図である。
【図５９】本発明の一実施例によってＰＵＣＣＨフォーマット２を用いてＵＣＩを伝送する例を示す図である。
【図６０】本発明の一実施例によってＰＵＣＣＨフォーマット２を用いてＵＣＩを伝送する例を示す図である。
【図６１】本発明の一実施例によってＰＵＣＣＨフォーマット２を用いてＵＣＩを伝送する例を示す図である。
【図６２】本発明の一実施例によってＰＵＣＣＨフォーマット２を用いてＵＣＩを伝送する例を示す図である。
【図６３】本発明に適用されうる基地局及び端末を例示する図である。
【発明を実施するための形態】
【００１６】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ＬＴＥ−Ａ（Ａｄｖａｎｃｅｄ）は、３ＧＰＰ ＬＴＥの進展したバージョンである。説明を明確にするために、３ＧＰＰ ＬＴＥ／ＬＴＥ−Ａを中心に説明するが、これに本発明の技術的思想が制限されることはない。
【００１７】
無線通信システムにおいて、端末は基地局からダウンリンク（Ｄｏｗｎｌｉｎｋ：ＤＬ）を通じて情報を受信し、端末は基地局にアップリンク（Ｕｐｌｉｎｋ：ＵＬ）を通じて情報を伝送する。基地局と端末が送受信する情報は、データ及び様々な制御情報を含み、これらが送受信する情報の種類／用途に応じて様々な物理チャネルが存在する。
【００１８】
図１は、３ＧＰＰ ＬＴＥシステムに用いられる物理チャネル及びこれらのチャネルを用いた一般的な信号伝送方法を説明するための図である。
【００１９】
電源が消えた状態で再び電源が入ったり、セルに新しく進入したりした端末は、段階Ｓ１０１において、基地局と同期を合わせる等の初期セル探索（Ｉｎｉｔｉａｌ  ｃｅｌｌ  ｓｅａｒｃｈ）作業を行う。このために、端末は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を合わせ、セルＩＤなどの情報を獲得する。その後、端末は、基地局から物理放送チャネル（Ｐｈｙｓｉｃａｌ  Ｂｒｏａｄｃａｓｔ  Ｃｈａｎｎｅｌ）を受信してセル内の放送情報を獲得することができる。一方、端末は、初期セル探索段階においてダウンリンク参照信号（Ｄｏｗｎｌｉｎｋ  Ｒｅｆｅｒｅｎｃｅ  Ｓｉｇｎａｌ：ＤＬ ＲＳ）を受信して、ダウンリンクチャネル状態を確認することができる。
【００２０】
初期セル探索を終えた端末は、段階Ｓ１０２において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び該物理ダウンリンク制御チャネル情報に対応する物理ダウンリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を獲得することができる。
【００２１】
その後、端末は基地局への接続を確立するために、段階Ｓ１０３乃至段階Ｓ１０６のようなランダムアクセス手順（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を通じてプリアンブルを伝送し（Ｓ１０３）、物理ダウンリンク制御チャネル及びこれに対応する物理ダウンリンク共有チャネルを通じて、プリアンブルに対する応答メッセージを受信することができる（Ｓ１０４）。競合ベースランダムアクセスの場合は、追加の物理ランダムアクセスチャネルの伝送（Ｓ１０５）、及び物理ダウンリンク制御チャネル及びこれに対応する物理ダウンリンク共有チャネルの受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２２】
以上の手順を行った端末は、以降、一般的なアップリンク／ダウンリンク信号伝送手順として、物理ダウンリンク制御チャネル／物理ダウンリンク共有チャネルの受信（Ｓ１０７）及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の伝送（Ｓ１０８）を行うことができる。端末が基地局に伝送する制御情報を総称してアップリンク制御情報（Ｕｐｌｉｎｋ  Ｃｏｎｔｒｏｌ  Ｉｎｆｏｒｍａｔｉｏｎ：ＵＣＩ）とする。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）などを含む。ＵＣＩは、主に、ＰＵＣＣＨを通じて伝送されるが、制御情報とトラフィックデータが同時に伝送されるべき場合は、ＰＵＳＣＨを通じて伝送されてもよい。また、ネットワークの要請／指示によってＰＵＳＣＨを通じてＵＣＩを非周期的に伝送することもある。
【００２３】
図２は、端末がアップリンク信号を伝送するための信号処理手順を説明するための図である。
【００２４】
アップリンク信号を伝送するために、端末は、スクランブリング（ｓｃｒａｍｂｌｉｎｇ）モジュール２１０で端末特定スクランブル信号を用いて伝送信号をスクランブルすることができる。スクランブルされた信号は変調マッパー２１０に入力され、伝送信号の種類及び／またはチャネル状態に基づいてＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）または１６ＱＡＭ／６４ＱＡＭ（Ｑｕａｄｒａｔｕｒｅ  Ａｍｐｌｉｔｕｄｅ  Ｍｏｄｕｌａｔｉｏｎ）方式を用いて複素シンボル（ｃｏｍｐｌｅｘ  ｓｙｍｂｏｌ）に変調される。変調された複素シンボルを、変換プリコーダ２３０で処理した後に、リソース要素マッパー２４０に入力し、リソース要素マッパー２４０は、複素シンボルを時間−周波数リソース要素にマッピングすることができる。このように処理した信号は、ＳＣ−ＦＤＭＡ信号生成器２５０を経てアンテナから基地局に伝送することができる。
【００２５】
図３は、基地局がダウンリンク信号を伝送するための信号処理手順を説明するための図である。
【００２６】
３ＧＰＰ ＬＴＥシステムにおいて、基地局は、ダウンリンクで一つ以上のコードワード（ｃｏｄｅｗｏｒｄ）を伝送することができる。コードワードはそれぞれ、図２のアップリンクと同様、スクランブルモジュール３０１及び変調マッパー３０２を通じて複素シンボルとすることができる。その後、複素シンボルを、レイヤーマッパー３０３により複数のレイヤー（Ｌａｙｅｒ）にマッピングし、プリコーディングモジュール３０４で各レイヤーをプリコーディング行列とかけて、各伝送アンテナに割り当てることができる。このように処理した各アンテナ別伝送信号のそれぞれを、リソース要素マッパー３０５で時間−周波数リソース要素にマッピングし、以降、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）信号生成器３０６を経て各アンテナから伝送することができる。
【００２７】
無線通信システムにおいて端末がアップリンクで信号を伝送する場合は、基地局がダウンリンクで信号を伝送する場合に比べて、ＰＡＰＲ（Ｐｅａｋ−ｔｏ−Ａｖｅｒａｇｅ  Ｒａｔｉｏ）が問題となる。そのため、図２及び図３で説明したように、アップリンク信号伝送には、ダウンリンク信号伝送に用いられるＯＦＤＭＡ方式ではなく、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられている。
【００２８】
図４は、ＳＣ−ＦＤＭＡ方式とＯＦＤＭＡ方式を説明するための図である。３ＧＰＰシステムは、ダウンリンクではＯＦＤＭＡを採用し、アップリンクではＳＣ−ＦＤＭＡを採用する。
【００２９】
図４を参照すると、アップリンク信号伝送のための端末及びダウンリンク信号伝送のための基地局は、直列−並列変換器（Ｓｅｒｉａｌ−ｔｏ−Ｐａｒａｌｌｅｌ  Ｃｏｎｖｅｒｔｅｒ）４０１、副搬送波マッパー４０３、Ｍ−ポイントＩＤＦＴモジュール４０４及び巡回プレフィックス（Ｃｙｃｌｉｃ  Ｐｒｅｆｉｘ、ＣＰ）付加モジュール４０６を備えている点では同一である。ただし、ＳＣ−ＦＤＭＡ方式で信号を伝送するための端末は、Ｎ−ポイントＤＦＴモジュール４０２をさらに備える。Ｎ−ポイントＤＦＴモジュール４０２は、Ｍ−ポイントＩＤＦＴモジュール４０４のＩＤＦＴ処理影響を一定部分打ち消すことによって、伝送信号が単一搬送波特性（ｓｉｎｇｌｅ  ｃａｒｒｉｅｒ  ｐｒｏｐｅｒｔｙ）を持つようにする。
【００３０】
図５は、周波数ドメインで単一搬送波特性を満たすための周波数ドメイン上の信号マッピング方式を説明する図である。図５の（ａ）は、ローカル型マッピング（ｌｏｃａｌｉｚｅｄ  ｍａｐｐｉｎｇ）方式を示し、図５の（ｂ）は、分散型マッピング（ｄｉｓｔｒｉｂｕｔｅｄ  ｍａｐｐｉｎｇ）方式を示す。
【００３１】
ＳＣ−ＦＤＭＡの修正された形態であるクラスタ（ｃｌｕｓｔｅｒｅｄ）ＳＣ−ＦＤＭＡについて説明する。クラスタＳＣ−ＦＤＭＡは、副搬送波マッピング過程でＤＦＴプロセス出力サンプルを副グループ（ｓｕｂ−ｇｒｏｕｐ）に分け、これらを周波数ドメイン（あるいは副搬送波ドメイン）に不連続的にマッピングする。
【００３２】
図６は、クラスタＳＣ−ＦＤＭＡにおいてＤＦＴプロセス出力サンプルが単一キャリアにマッピングされる信号処理手順を示す図である。図７及び図８は、クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を示す図である。図６は、イントラキャリア（ｉｎｔｒａ−ｃａｒｒｉｅｒ）クラスタＳＣ−ＦＤＭＡを適用する例であり、図７及び図８は、インターキャリア（ｉｎｔｅｒ−ｃａｒｒｉｅｒ）クラスタＳＣ−ＦＤＭＡを適用する例に該当する。図７は、周波数ドメインで連続的（ｃｏｎｔｉｇｕｏｕｓ）にコンポーネントキャリア（ｃｏｍｐｏｎｅｎｔ  ｃａｒｒｉｅｒ）が割り当てられた状況において、隣接したコンポーネントキャリア間の副搬送波の間隔（ｓｐａｃｉｎｇ）が整列された場合に、単一のＩＦＦＴブロックを通じて信号を生成する例を示す。図８は、周波数ドメインで非連続的（ｎｏｎ−ｃｏｎｔｉｇｕｏｕｓ）にコンポーネントキャリアが割り当てられた状況において複数のＩＦＦＴブロックを通じて信号を生成する場合を示す。
【００３３】
図９は、セグメント（ｓｅｇｍｅｎｔｅｄ）ＳＣ−ＦＤＭＡの信号処理手順を示す図である。
【００３４】
セグメントＳＣ−ＦＤＭＡは、任意個数のＤＦＴと同じ個数のＩＦＦＴが適用されてＤＦＴとＩＦＦＴとの関係構成が一対一の関係を有すことから、単純に既存ＳＣ−ＦＤＭＡのＤＦＴ拡散とＩＦＦＴの周波数副搬送波マッピング構成を拡張したもので、ＮｘＳＣ−ＦＤＭＡまたはＮｘＤＦＴ−ｓ−ＯＦＤＭＡとも表現される。これらを包括して本明細書ではセグメントＳＣ−ＦＤＭＡと呼ぶ。図９を参照すると、セグメントＳＣ−ＦＤＭＡは、単一搬送波特性条件を緩和するために、全体時間ドメイン変調シンボルを、Ｎ（Ｎは、１より大きい整数）個のグループにし、グループ単位にＤＦＴプロセスを行う。
【００３５】
図１０は、アップリンクサブフレームの構造を示す図である。
【００３６】
図１０を参照すると、アップリンクサブフレームは、複数（例、２個）のスロットを含む。スロットは、ＣＰ（Ｃｙｃｌｉｃ  Ｐｒｅｆｉｘ）の長さによってそれぞれ異なる数のＳＣ−ＦＤＭＡシンボルを有することができる。一例として、一般（ｎｏｒｍａｌ）ＣＰの場合は、スロットは７個のＳＣ−ＦＤＭＡシンボルを有することができる。アップリンクサブフレームは、データ領域と制御領域とに区別される。データ領域は、ＰＵＳＣＨを含み、音声などのデータ信号を伝送するのに用いられる。制御領域は、ＰＵＣＣＨを含み、制御情報を伝送するのに用いられる。ＰＵＣＣＨは、周波数軸においてデータ領域の両端部に位置しているＲＢ対（ＲＢ  ｐａｉｒ）（例、ｍ＝０，１，２，３））（例、周波数反射（ｆｒｅｑｕｅｎｃｙ  ｍｉｒｒｏｒｅｄ）された位置のＲＢ対７）を含み、スロットを境界にホッピングする。アップリンク制御情報（すなわち、ＵＣＩ）は、ＨＡＲＱ ＡＣＫ／ＮＡＣＫ、ＣＱＩ（Ｃｈａｎｎｅｌ  Ｑｕａｌｉｔｙ  Ｉｎｆｏｒｍａｔｉｏｎ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。
【００３７】
図１１は、アップリンクで参照信号を伝送するための信号処理手順を説明するための図である。データは、ＤＦＴプリコーダを通じて周波数ドメイン信号に変換された後、周波数マッピング後にＩＦＦＴを通じて伝送されるのに比べて、ＲＳは、ＤＦＴプリコーダを経ることが省かれる。すなわち、周波数ドメインでＲＳシーケンスが直接生成（Ｓ１１）された後に、ローカル化マッピング（Ｓ１２）、ＩＦＦＴ過程（Ｓ１３）及びＣＰ（Ｃｙｃｌｉｃ  Ｐｒｅｆｉｘ）付加過程（Ｓ１４）を順次に経てＲＳが伝送される。
【００３８】
【表２】
0005890391.tif 000003
【００３９】
【数１】
0005890391.tif 000004
【００４０】
【表３】
0005890391.tif 000005
【００４１】
【表４】
0005890391.tif 000006
【００４２】
【表５】
0005890391.tif 000007
【００４３】
【表６】
0005890391.tif 000008
【００４４】
【数２】
0005890391.tif 000009
【００４５】
ここで、ｑ番目のルートザドフチュー（Ｚａｄｏｆｆ−Ｃｈｕ）シーケンスは、下記の数学式３により定義できる。
【００４６】
【数３】
0005890391.tif 000010
【００４７】
ここで、ｑは、下記の数学式４を満たす。
【００４８】
【数４】
0005890391.tif 000011
【００４９】
【表７】
0005890391.tif 000012
【００５０】
【表８】
0005890391.tif 000013
【００５１】
【数５】
0005890391.tif 000014
【００５２】
【表９】
0005890391.tif 000015
【００５３】
【表１０】
0005890391.tif 000016
【００５４】
【表１１】
0005890391.tif 000017
【００５５】
一方、ＲＳホッピングについて説明すると、下記のとおりである。
【００５６】
【表１２】
0005890391.tif 000018
【００５７】
【数６】
0005890391.tif 000019
【００５８】
ここで、ｍｏｄは、モジューロ（ｍｏｄｕｌｏ）演算を表す。
【００５９】
１７個の互いに異なるホッピングパターンと３０個の互いに異なるシーケンスシフトパターンが存在する。上位層により提供されたグループホッピングを活性化させるパラメータによってシーケンスグループホッピングが可能（ｅｎａｂｌｅｄ）または不可能（ｄｉｓａｂｌｅｄ）になる。
【００６０】
ＰＵＣＣＨとＰＵＳＣＨとは、同じホッピングパターンを有するが、互いに異なるシーケンスシフトパターンを有することができる。
【００６１】
【表１３】
0005890391.tif 000020
【００６２】
【数７】
0005890391.tif 000021
【００６３】
【表１４】
0005890391.tif 000022
【００６４】
【表１５】
0005890391.tif 000023
【００６５】
【表１６】
0005890391.tif 000024
【００６６】
以下、シーケンスホッピングについて説明する。
【００６７】
【表１７】
0005890391.tif 000025
【００６８】
【表１８】
0005890391.tif 000026
【００６９】
【表１９】
0005890391.tif 000027
【００７０】
【数８】
0005890391.tif 000028
【００７１】
【表２０】
0005890391.tif 000029
【００７２】
ＰＵＳＣＨに対する基準信号は、下記のように決定される。
【００７３】
【表２１】
0005890391.tif 000030
【００７４】
【表２２】
0005890391.tif 000031
【００７５】
【表２３】
0005890391.tif 000032
【００７６】
【表２４】
0005890391.tif 000033
【００７７】
【表２５】
0005890391.tif 000034
【００７８】
【表２６】
0005890391.tif 000035
【００７９】
ＰＵＳＣＨにおいてアップリンクＲＳのための物理的マッピング方法は、下記のとおりである。
【００８０】
【表２７】
0005890391.tif 000036
【００８１】
【表２８】
0005890391.tif 000037
【００８２】
図１２Ａは、標準ＣＰ（ｎｏｒｍａｌ  ＣＰ）の場合にＰＵＳＣＨのためのＤＭＲＳ（ｄｅｍｏｄｕｌａｔｉｏｎ  ｒｅｆｅｒｅｎｃｅ  ｓｉｇｎａｌ）構造を示す図であり、図１２Ｂは、拡張ＣＰ（ｅｘｔｅｎｄｅｄ  ＣＰ）の場合にＰＵＳＣＨのためのＤＭＲＳ構造を示す図である。図１２Ａでは、４番目と１１番目のＳＣ−ＦＤＭＡシンボルを通じてＤＭＲＳが伝送され、図１２Ｂでは、３番目と９番目のＳＣ−ＦＤＭＡシンボルを通じてＤＭＲＳが伝送される。
【００８３】
図１３乃至図１６は、ＰＵＣＣＨフォーマットのスロットレベル構造を示す例である。ＰＵＣＣＨは、制御情報を伝送するために下記の形式を含む。
（１）フォーマット（Ｆｏｒｍａｔ）１：オン−オフキーイング（Ｏｎ−Ｏｆｆ  ｋｅｙｉｎｇ）（ＯＯＫ）変調、スケジューリング要請（Ｓｃｈｅｄｕｌｉｎｇ  Ｒｅｑｕｅｓｔ：ＳＲ）に使用
（２）フォーマット１ａとフォーマット１ｂ：ＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）伝送に使用
１）フォーマット１ａ：１個のコードワードに対するＢＰＳＫ ＡＣＫ／ＮＡＣＫ
２）フォーマット１ｂ：２個のコードワードに対するＱＰＳＫ ＡＣＫ／ＮＡＣＫ
（３）フォーマット２：ＱＰＳＫ変調、ＣＱＩ伝送に使用
（４）フォーマット２ａとフォーマット２ｂ：ＣＱＩとＡＣＫ／ＮＡＣＫの同時伝送に使用
【００８４】
表４は、ＰＵＣＣＨフォーマットによる変調方式、及びサブフレーム当たりのビット数を表す。表５は、ＰＵＣＣＨフォーマットによるスロット当たりのＲＳの個数を表す。表６は、ＰＵＣＣＨフォーマットによるＲＳのＳＣ−ＦＤＭＡシンボル位置を表すものである。表４で、ＰＵＣＣＨフォーマット２ａと２ｂは、標準ＣＰの場合に該当する。
【００８５】
【表２９】
0005890391.tif 000038
【００８６】
【表３０】
0005890391.tif 000039
【００８７】
【表３１】
0005890391.tif 000040
【００８８】
図１３は、標準ＣＰの場合におけるＰＵＣＣＨフォーマット１ａ及び１ｂを示す。図１４は、拡張ＣＰの場合におけるＰＵＣＣＨフォーマット１ａ及び１ｂを示す。ＰＵＣＣＨフォーマット１ａ及び１ｂは、同じ内容の制御情報がサブフレーム内でスロット単位に反復される。各端末から、ＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なる巡回シフト（ｃｙｃｌｉｃ  ｓｈｉｆｔ：ＣＳ）（周波数ドメインコード）と直交カバーコード（ｏｒｔｈｏｇｏｎａｌ  ｃｏｖｅｒ  ｏｒ  ｏｒｔｈｏｇｏｎａｌ  ｃｏｖｅｒ  ｃｏｄｅ：ＯＣ  ｏｒ  ＯＣＣ）（時間ドメイン拡散コード）とから構成された互いに異なるリソースを通じて伝送される。ＯＣは、例えば、ウォルシュ（Ｗａｌｓｈ）／ＤＦＴ直交コードを含む。ＣＳの個数が６であり、ＯＣの個数が３であれば、単一アンテナを基準に、総１８個の端末が同一のＰＲＢ（Ｐｈｙｓｉｃａｌ  Ｒｅｓｏｕｒｃｅ  Ｂｌｏｃｋ）内で多重化されることが可能である。直交シーケンスｗ０、ｗ１、ｗ２、ｗ３は、（ＦＦＴ変調後に）任意の時間ドメインで、または（ＦＦＴ変調前に）任意の周波数ドメインで適用されるとよい。
【００８９】
ＳＲ及び持続的スケジューリング（ｐｅｒｓｉｓｔｅｎｔｓ  ｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を通じて端末に与えることができる。動的ＡＣＫ／ＮＡＣＫ及び非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースを、ＰＤＳＣＨに対応するＰＤＣＣＨの最小（ｌｏｗｅｓｔ）のＣＣＥインデックスによって暗黙的に（ｉｍｐｌｉｃｉｔｌｙ）端末に与えることができる。
【００９０】
図１５には、標準ＣＰの場合におけるＰＵＣＣＨフォーマット２／２ａ／２ｂを示す。図１６は、拡張ＣＰの場合におけるＰＵＣＣＨフォーマット２／２ａ／２ｂを示す。図１５及び図１６を参照すると、標準ＣＰの場合に、一つのサブフレームは、ＲＳシンボルの他、１０個のＱＰＳＫデータシンボルで構成される。それぞれのＱＰＳＫシンボルは、ＣＳにより周波数ドメインで拡散された後、該当のＳＣ−ＦＤＭＡシンボルにマッピングされる。ＳＣ−ＦＤＭＡシンボルレベルＣＳホッピングは、インター・セル干渉をランダム化するために適用することができる。ＲＳは、巡回シフトを用いてＣＤＭにより多重化することができる。例えば、可用ＣＳの個数が１２または６であるとすれば、同一のＰＲＢ内にそれぞれ１２または６個の端末を多重化することができる。要するに、ＰＵＣＣＨフォーマット１／１ａ／１ｂと２／２ａ／２ｂにおいて、複数の端末を、ＣＳ＋ＯＣ＋ＰＲＢとＣＳ＋ＰＲＢによりそれぞれ多重化することができる。
【００９１】
ＰＵＣＣＨフォーマット１／１ａ／１ｂのための長さ４と長さ３の直交シーケンス（ＯＣ）は、下記の表７及び表８に示すとおりである。
【００９２】
【表３２】
0005890391.tif 000041
【００９３】
【表３３】
0005890391.tif 000042
【００９４】
ＰＵＣＣＨフォーマット１／１ａ／１ｂにおいて、ＲＳのための直交シーケンス（ＯＣ）は、下記の表９のとおりである。
【００９５】
【表３４】
0005890391.tif 000043
【００９６】
【表３５】
0005890391.tif 000044
【００９７】
図１８は、同一のＰＲＢ内で、ＰＵＣＣＨフォーマット１／１ａ／１ｂ及びフォーマット２／２ａ／２ｂの混合構造に対するチャネル化を示す図である。
【００９８】
巡回シフト（Ｃｙｃｌｉｃ  Ｓｈｉｆｔ：ＣＳ）ホッピングと直交カバー（Ｏｒｔｈｏｇｏｎａｌ  Ｃｏｖｅｒ：ＯＣ）再マッピング（ｒｅｍａｐｐｉｎｇ）は、下記のように適用可能である。
（１）インター・セル干渉（ｉｎｔｅｒ−ｃｅｌｌ  ｉｎｔｅｒｆｅｒｅｎｃｅ）のランダム化のためのシンボルベースのセル特定ＣＳホッピング
（２）スロットレベルＣＳ／ＯＣ再マッピング
１）インター・セル干渉ランダム化のために
２）ＡＣＫ／ＮＡＣＫチャネルとリソース（ｋ）間のマッピングのためのスロットベースの接近
【００９９】
一方、ＰＵＣＣＨフォーマット１／１ａ／１ｂのためのリソース（ｎr）は、下記の組み合わせを含む。
（１）ＣＳ（＝シンボルレベルでＤＦＴ直交コードと同一）（ｎcs）
（２）ＯＣ（スロットレベルで直交カバー）（ｎoc）
（３）周波数ＲＢ（Ｒｅｓｏｕｒｃｅ  Ｂｌｏｃｋ）（ｎrb）
【０１００】
ＣＳ、ＯＣ、ＲＢを表すインデックスをそれぞれ、ｎcs、ｎoc、ｎrbとすれば、代表インデックス（ｒｅｐｒｅｓｅｎｔａｔｉｖｅ  ｉｎｄｅｘ）ｎrは、ｎcs、ｎoc、ｎrbを含む。ｎrは、ｎr＝（ｎcs、ｎoc、ｎrb）を満たす。
【０１０１】
ＣＱＩ、ＰＭＩ、ＲＩ、及びＣＱＩとＡＣＫ／ＮＡＣＫとの組み合わせは、ＰＵＣＣＨフォーマット２／２ａ／２ｂを通じて伝達することができる。リードマラー（Ｒｅｅｄ  Ｍｕｌｌｅｒ：ＲＭ）チャネルコーディングを適用することができる。
【０１０２】
【表３６】
0005890391.tif 000045
【０１０３】
【表３７】
0005890391.tif 000046
【０１０４】
【表３８】
0005890391.tif 000047
【０１０５】
【数９】
0005890391.tif 000048
【０１０６】
ここで、ｉ＝０，１，２，…，Ｂ−１を満たす。
【０１０７】
表１１は、広帯域報告（単一アンテナポート、伝送ダイバーシティ（ｔｒａｎｓｍｉｔ  ｄｉｖｅｒｓｉｔｙ）または開ループ空間多重化（ｏｐｅｎ  ｌｏｏｐ  ｓｐａｔｉａｌ  ｍｕｌｔｉｐｌｅｘｉｎｇ）ＰＤＳＣＨ）ＣＱＩフィードバックのためのＵＣＩ（Ｕｐｌｉｎｋ  Ｃｏｎｔｒｏｌ  Ｉｎｆｏｒｍａｔｉｏｎ）フィールドを表すものである。
【０１０８】
【表３９】
0005890391.tif 000049
【０１０９】
表１２は、広帯域に対するＣＱＩとＰＭＩフィードバックのためのＵＣＩフィールドを表し、該フィールドは、閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ伝送を報告する。
【０１１０】
【表４０】
0005890391.tif 000050
【０１１１】
表１３は、広帯域報告のためのＲＩフィードバックのためのＵＣＩフィールドを表す。
【０１１２】
【表４１】
0005890391.tif 000051
【０１１３】
図１９は、ＰＲＢ割当を示す図である。図１９に示すように、スロットｎsでＰＵＣＣＨ伝送のためにＰＲＢを用いることができる。
【０１１４】
マルチキャリアシステムまたはキャリア組み合わせ（ｃａｒｒｉｅｒ  ａｇｇｒｅｇａｔｉｏｎ）システムは、広帯域支援のために目標帯域（ｂａｎｄｗｉｄｔｈ）よりも小さい帯域を持つ複数のキャリアを統合して用いるシステムのことをいう。目標帯域よりも小さい帯域を持つ複数のキャリアを統合する時に、統合されるキャリアの帯域は、既存システムとの互換（ｂａｃｋｗａｒｄ  ｃｏｍｐａｔｉｂｉｌｉｔｙ）のために、既存システムで用いる帯域幅に制限されるとよい。例えば、既存のＬＴＥシステムは、１．４、３、５、１０、１５、２０ＭＨｚの帯域幅を支援し、ＬＴＥシステムから進展したＬＴＥ−Ａ（ＬＴＥ−Ａｄｖａｎｃｅｄ）システムは、ＬＴＥで支援する帯域幅のみを用いて２０ＭＨｚよりも大きい帯域幅を支援することができる。または、既存システムで用いる帯域幅にかかわらず、新しい帯域幅を定義してキャリア組み合わせを支援してもよい。マルチキャリアは、キャリア組み合わせ及び帯域幅統合と併用できる名称である。また、キャリア組み合わせは、隣接した（ｃｏｎｔｉｇｕｏｕｓ）キャリア組み合わせと隣接していない（ｎｏｎ−ｃｏｎｔｉｇｕｏｕｓ）キャリア組み合わせを総称する。
【０１１５】
図２０は、基地局でダウンリンクコンポーネントキャリアを管理する概念を示す図であり、図２１は、端末でアップリンクコンポーネントキャリアを管理する概念を示す図である。説明の便宜のために、以下では、図２０及び図２１において、上位層をＭＡＣと簡略化して説明する。
【０１１６】
図２２は、基地局において一つのＭＡＣがマルチキャリアを管理する概念を説明する。図２３は、端末において一つのＭＡＣがマルチキャリアを管理する概念を説明する。
【０１１７】
図２２及び２３を参照すると、一つのＭＡＣが一つ以上の周波数キャリアを管理及び運営して送受信を行う。一つのＭＡＣにより管理される周波数キャリアは、互いに隣接する必要がないため、リソース管理の側面においてより柔軟（ｆｌｅｘｉｂｌｅ）であるという利点がある。図２２及び図２３で、一つのＰＨＹは、便宜上、一つのコンポーネントキャリアを意味するとする。ここで、一つのＰＨＹは、必ずしも独立したＲＦ（Ｒａｄｉｏ  Ｆｒｅｑｕｅｎｃｙ）デバイスを意味するわけではない。一般に、一つの独立したＲＦデバイスは、一つのＰＨＹを意味するが、これに限定されず、一つのＲＦデバイスは複数のＰＨＹを含むこともできる。
【０１１８】
図２４は、基地局において複数のＭＡＣがマルチキャリアを管理する概念を説明する。図２５は、端末において複数のＭＡＣがマルチキャリアを管理する概念を説明する。図２６は、基地局において複数のＭＡＣがマルチキャリアを管理する他の概念を説明する。図２７は、端末において複数のＭＡＣがマルチキャリアを管理する他の概念を説明する。
【０１１９】
図２２及び図２３に示すような構造に限定されず、図２４乃至図２７のように、複数のキャリアを、一つのＭＡＣではなく複数のＭＡＣが制御することもできる。
【０１２０】
図２４及び図２５に示すように、それぞれのキャリアをそれぞれのＭＡＣが１：１で制御することもでき、図２６及び図２７に示すように、一部キャリアについては、それぞれのキャリアをそれぞれのＭＡＣが１：１で制御し、残り１個以上のキャリアを一つのＭＡＣが制御することもできる。
【０１２１】
上記のシステムは、１個〜Ｎ個の多数のキャリアを含むシステムであり、各キャリアは隣接して用いられることもあり、非隣接（ｎｏｎ−ｃｏｎｔｉｇｕｏｕｓ）して用いられることもある。これは、アップリンク／ダウンリンクを問わずに適用可能である。ＴＤＤシステムは、それぞれのキャリア内にダウンリンクとアップリンクの伝送を含むＮ個の多数キャリアを運営するように構成され、ＦＤＤシステムは、多数のキャリアをアップリンクとダウンリンクにそれぞれ用いるように構成される。ＦＤＤシステムの場合に、アップリンクとダウンリンクで統合されるキャリアの数及び／またはキャリアの帯域幅が、他の非対称的なキャリア組み合わせも支援することができる。
【０１２２】
アップリンクとダウンリンクで統合されたコンポーネントキャリアの個数が同一であれば、全てのコンポーネントキャリアを既存システムと互換可能に構成することができる。しかし、互換性を考慮しないコンポーネントキャリアが本発明から排除されるわけではない。
【０１２３】
以下では、説明の便宜のために、ＰＤＣＣＨがダウンリンクコンポーネントキャリア＃０で伝送された時に、該当のＰＤＳＣＨはダウンリンクコンポーネントキャリア＃０で伝送されるとして説明するが、交差−キャリアスケジュールリング（ｃｒｏｓｓ−ｃａｒｒｉｅｒ  ｓｃｈｅｄｕｌｉｎｇ）が適用されることで、該当のＰＤＳＣＨが他のダウンリンクコンポーネントキャリアを通じて伝送されてもよいことは明らかである。「コンポーネントキャリア」という用語は、等価の他の用語（例、セル）にしてもよい。
【０１２４】
図２８には、キャリア組み合わせが支援される無線通信システムにおいて、アップリンク制御情報（Ｕｐｌｉｎｋ  Ｃｏｎｔｒｏｌ  Ｉｎｆｏｒｍａｔｉｏｎ：ＵＣＩ）が伝送されるシナリオを例示する。便宜上、本例は、ＵＣＩがＡＣＫ／ＮＡＣＫ（Ａ／Ｎ）である場合とする。しかし、これは、説明の便宜のためのもので、ＵＣＩはチャネル状態情報（例、ＣＱＩ、ＰＭＩ、ＲＩ）、スケジューリング要請情報（例、ＳＲ）のような制御情報を制限なく含むことができる。
【０１２５】
図２８には、５個のＤＬ ＣＣが１個のＵＬ ＣＣとリンクされた非対称キャリア組み合わせを例示する。例示した非対称キャリア組み合わせは、ＵＣＩ伝送の観点で設定されたものでよい。すなわち、ＵＣＩのためのＤＬ ＣＣ−ＵＬ ＣＣリンケージとデータのためのＤＬ ＣＣ−ＵＬ ＣＣリンケージは互いに異なるように設定されてもよい。便宜上、１つのＤＬ ＣＣが最大２つのコードワードを伝送できるとすれば、ＵＬ ＡＣＫ／ＮＡＣＫビットも少なくとも２ビットが必要である。この場合、５個のＤＬ ＣＣを通じて受信したデータに対するＡＣＫ／ＮＡＣＫを一つのＵＬ ＣＣを通じて伝送するためには、少なくとも１０ビットのＡＣＫ／ＮＡＣＫビットが必要である。もし、ＤＬ ＣＣ別にＤＴＸ状態も支援するには、ＡＣＫ／ＮＡＣＫ伝送のために少なくとも１２ビット（＝５5＝３１２５＝１１．６１ビット）が必要である。既存のＰＵＣＣＨフォーマット１ａ／１ｂは、２ビットまでＡＣＫ／ＮＡＣＫを送ることができるので、このような構造では、増加したＡＣＫ／ＮＡＣＫ情報を伝送することができない。便宜上、ＵＣＩ情報の量が増加する原因としてキャリア組み合わせを例示したが、このような状況は、アンテナ個数の増加、ＴＤＤシステム、リレーシステムにおいてバックホールサブフレームの存在などから発生することがある。ＡＣＫ／ＮＡＣＫと同様に、複数のＤＬ ＣＣと関連した制御情報を一つのＵＬ ＣＣを通じて伝送する場合にも、伝送すべき制御情報の量が増加する。例えば、複数のＤＬ ＣＣに対するＣＱＩ／ＰＭＩ／ＲＩを伝送しなければならない場合に、ＵＣＩペイロードが増加することがある。ＤＬ ＣＣ及びＵＬ ＣＣはそれぞれ、ＤＬ Ｃｅｌｌ及びＵＬ Ｃｅｌｌと呼ぶこともできる。また、アンカーＤＬ ＣＣ及びアンカーＵＬ ＣＣはそれぞれ、ＤＬ ＰＣｅｌｌ（Ｐｒｉｍａｒｙ  Ｃｅｌｌ）及びＵＬ ＰＣｅｌｌと呼ぶこともできる。
【０１２６】
ＤＬプライマリＣＣは、ＵＬプライマリＣＣとリンケージされたＤＬ ＣＣと規定することができる。ここで、リンケージは、暗黙的（ｉｍｐｌｉｃｉｔ）、明示的（ｅｘｐｌｉｃｉｔ）リンケージ（ｌｉｎｋａｇｅ）の両方を包括する。ＬＴＥでは、一つのＤＬ ＣＣと一つのＵＬ ＣＣが固有にペアリングされている。例えば、ＬＴＥペアリングにより、ＵＬプライマリＣＣとリンケージされたＤＬ ＣＣをＤＬプライマリＣＣと称することができる。これを暗黙的リンケージということができる。明示的リンケージとは、ネットワークがあらかじめリンケージを構成（ｃｏｎｆｉｇｕｒａｔｉｏｎ）することを意味し、ＲＲＣなどでシグナリングすることができる。明示的リンケージにおいて、ＵＬプライマリＣＣとペアリングされているＤＬ ＣＣを、プライマリＤＬ ＣＣと称することができる。ここで、ＵＬプライマリ（またはアンカー）ＣＣは、ＰＵＣＣＨが伝送されるＵＬ ＣＣでよい。あるいは、ＵＬプライマリＣＣは、ＰＵＣＣＨあるいはＰＵＳＣＨを通じてＵＣＩが伝送されるＵＬ ＣＣでもよい。または、ＤＬプライマリＣＣは、上位層シグナリングを通じて構成されてもよい。または、ＤＬプライマリＣＣは、端末が初期接続を行ったＤＬ ＣＣでもよい。また、ＤＬプライマリＣＣ以外のＤＬ ＣＣは、ＤＬセカンダリＣＣと呼ぶことができる。同様に、ＵＬプライマリＣＣ以外のＵＬ ＣＣは、ＵＬセカンダリＣＣと呼ぶことができる。
【０１２７】
ＤＬ−ＵＬペアリングは、ＦＤＤにのみ該当するものでよい。ＴＤＤは、同じ周波数を用いるから、別にＤＬ−ＵＬペアリングが定義されなくてもよいわけである。また、ＤＬ−ＵＬリンケージは、ＳＩＢ２のＵＬ ＥＡＲＦＣＮ情報を通じてＵＬリンケージから決定されるとよい。例えば、ＤＬ−ＵＬリンケージは、初期接続時にＳＩＢ２デコーディングを通じて獲得され、それ以外にはＲＲＣシグナリングを通じて獲得可能である。そのため、ＳＩＢ２リンケージのみ存在し、他のＤＬ−ＵＬペアリングは明示的に定義されなくてもよい。例えば、図２８の５ＤＬ：１ＵＬ構造において、ＤＬ ＣＣ＃０及びＵＬ ＣＣ＃０は互いにＳＩＢ２リンケージ関係により、残りＤＬ ＣＣは、当該端末に設定されていない他のＵＬ ＣＣとＳＩＢ２リンケージ関係にありうる。
【０１２８】
本明細書の一部は、非対称キャリア組み合わせを中心に記載されているが、これは説明のための例示に過ぎず、本発明は、対称キャリア組み合わせを含む様々なキャリア組み合わせシナリオにも制限無く適用可能である。
【０１２９】
以下、図面を参照して、増大したアップリンク制御情報を効率よく伝送するための方案を提案する。具体的に、増大したアップリンク制御情報を伝送するための新しいＰＵＣＣＨフォーマット／信号処理手順／リソース割当方法などを提案する。説明のために、本発明で提案する新規のＰＵＣＣＨフォーマットを、ＬＴＥ−Ａ ＰＵＣＣＨフォーマット、または既存ＬＴＥにＰＵＣＣＨフォーマット２まで定義されている点に照らしてＰＵＣＣＨフォーマット３と称する。本発明で提案するＰＵＣＣＨフォーマットの技術的思想は、アップリンク制御情報を伝送できる任意の物理チャネル（例、ＰＵＳＣＨ）にも同一または類似の方式を用いて容易に適用することができる。例えば、本発明の実施例は、制御情報を周期的に伝送する周期的ＰＵＳＣＨ構造、または制御情報を非周期的に伝送する非周期的ＰＵＳＣＨ構造に適用することができる。
【０１３０】
以下の図面及び実施例は、本発明の実施例に係るＰＵＣＣＨフォーマット３に適用されるサブフレーム／スロットレベルのＵＣＩ／ＲＳシンボル構造であり、既存のＬＴＥのＰＵＣＣＨフォーマット１（標準ＣＰ）のＵＣＩ／ＲＳシンボル構造を用いる場合を中心に説明する。しかし、図示のＰＵＣＣＨフォーマット３においてサブフレーム／スロットレベルのＵＣＩ／ＲＳシンボル構造は、例示のために便宜上定義したもので、本発明が特定構造に制限されることはない。本発明に係るＰＵＣＣＨフォーマット３において、ＵＣＩ／ＲＳシンボルの個数、位置などは、システム設計に合わせて適宜変形すればよい。例えば、本発明の実施例に係るＰＵＣＣＨフォーマット３は、既存のＬＴＥのＰＵＣＣＨフォーマット２／２ａ／２ｂのＲＳシンボル構造を用いて定義することができる。
【０１３１】
本発明の実施例に係るＰＵＣＣＨフォーマット３は、任意の種類／サイズのアップリンク制御情報を伝送するのに用いることができる。例えば、本発明の実施例に係るＰＵＣＣＨフォーマット３は、ＨＡＲＱ ＡＣＫ／ＮＡＣＫ、ＣＱＩ、ＰＭＩ、ＲＩ、ＳＲなどの情報を伝送することができ、これらの情報は、任意サイズのペイロードを有することができる。説明の便宜上、図面及び実施例は、本発明に係るＰＵＣＣＨフォーマット３がＡＣＫ／ＮＡＣＫ情報を伝送する場合を中心に説明する。
【０１３２】
実施例１
【０１３３】
図２９Ａ〜図２９Ｆは、本実施例に係るＰＵＣＣＨフォーマット３の構造及びそのための信号処理手順を例示する。
【０１３４】
図２９Ａは、本実施例に係るＰＵＣＣＨフォーマット３をＰＵＣＣＨフォーマット１（標準ＣＰ）の構造に適用する場合を例示する。図２９Ａを参照すると、チャネルコーディングブロック（ｃｈａｎｎｅｌ  ｃｏｄｉｎｇ  ｂｌｏｃｋ）は、情報ビットａ＿０，ａ＿１，…，ａ＿Ｍ−１（例、多重ＡＣＫ／ＮＡＣＫビット）をチャネルコーディングして、コーディングビット（ｃｏｄｅｄ  ｂｉｔ  ｏｒ  ｃｏｄｉｎｇ  ｂｉｔ）（またはコードワード）ｂ＿０、ｂ＿１，…，ｂ＿Ｎ−１を生成する。Ｍは、情報ビットのサイズを表し、Ｎは、コーディングビットのサイズを表す。情報ビットは、アップリンク制御情報（ＵＣＩ）、例えば、複数のＤＬ ＣＣを通じて受信した複数のデータ（またはＰＤＳＣＨ）に対する多重ＡＣＫ／ＮＡＣＫを含む。ここで、情報ビットａ＿０，ａ＿１，…，ａ＿Ｍ−１は、情報ビットを構成するＵＣＩの種類／個数／サイズにかかわらずにジョイントコーディングされる。例えば、情報ビットが複数のＤＬ ＣＣに対する多重ＡＣＫ／ＮＡＣＫを含む場合に、チャネルコーディングは、ＤＬ ＣＣ別、個別ＡＣＫ／ＮＡＣＫビット別に行われずに全体ビット情報に対して行われ、これにより単一コードワードが生成される。チャネルコーディングには、これに限定されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）あるいはターボ・コーディングを用いることができる。図示してはいないが、コーディングビットは、変調次数とリソース量を考慮してレートマッチング（ｒａｔｅ−ｍａｔｃｈｉｎｇ）されるとよい。レートマッチング機能は、チャネルコーディングブロックの一部として含まれてもよく、別の機能ブロックによって行われてもよい。
【０１３５】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなされる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１３６】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周できる。また、変調シンボルをそれぞれのスロットに分周する時にインターリービング（またはパーミュテーション）することもできる。例えば、偶数番目の変調シンボルは、スロット０に分周し、奇数番目の変調シンボルはスロット１に分周することができる。変調過程と分周過程は互いに順序が換わってもよい。
【０１３７】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同図で、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１としてＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１としてＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に代替されてもよい。
【０１３８】
拡散ブロック（ｓｐｒｅａｄｉｎｇ  ｂｌｏｃｋ）は、ＤＦＴされた信号を、ＳＣ−ＦＤＭＡシンボルレベルで（時間ドメイン）拡散する。ＳＣ−ＦＤＭＡシンボルレベルの時間ドメイン拡散は、拡散コード（シーケンス）を用いて行われる。拡散コードは、準直交コードと直交コードを含む。準直交コードは、これに制限されるわけではないが、ＰＮ（Ｐｓｅｕｄｏ  Ｎｏｉｓｅ）コードを含む。直交コードは、これに制限されるわけではないが、ウォルシュコード、ＤＦＴコードを含む。本明細書は、説明の容易性のために、拡散コードの代表例として直交コードを挙げて説明するが、これは例示であり、直交コードは準直交コードに代替可能である。拡散コードサイズ（または、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、端末の多重化次数（ｍｕｌｔｉｐｌｅｘｉｎｉｇ  ｏｒｄｅｒ）またはアンテナ多重化次数と関連することがある。ＳＦは、１、２、３、４、…のように、システムの要求条件によって可変でき、基地局と端末間にあらかじめ定義されたり、ＤＣＩあるいはＲＲＣシグナリングを通じて端末に知らせられたりすることができる。例えば、ＳＲＳを伝送するために、制御情報用ＳＣ−ＦＤＭＡシンボルのうちの一つをパンクチャリングする場合に、当該スロットの制御情報にはＳＦの縮小した（例、ＳＦ＝４の代わりにＳＦ＝３）拡散コードを適用することができる。
【０１３９】
上の過程を経て生成された信号は、ＰＲＢ内の副搬送波にマッピングされた後に、ＩＦＦＴを経て時間ドメイン信号に変換される。時間ドメイン信号にはＣＰが付加され、生成されたＳＣ−ＦＤＭＡシンボルはＲＦ端を通じて伝送される。
【０１４０】
５個のＤＬ ＣＣに対するＡＣＫ／ＮＡＣＫを伝送する場合を挙げて、各過程をより具体的に説明する。それぞれのＤＬ ＣＣが２個のＰＤＳＣＨを伝送できる場合に、これに対するＡＣＫ／ＮＡＣＫビットは、ＤＴＸ状態を含む場合に１２ビットでよい。ＱＰＳＫ変調とＳＦ＝４の時間拡散を想定する場合に、（レートマッチング後の）コーディングブロックサイズは４８ビットでよい。コーディングビットは２４個のＱＰＳＫシンボルに変調され、生成されたＱＰＳＫシンボルは１２個ずつ各スロットに分周される。各スロットで１２個のＱＰＳＫシンボルは１２−ポイントＤＦＴ演算を経て１２個のＤＦＴシンボルに変換される。各スロットにおいて１２個のＤＦＴシンボルは時間ドメインでＳＦ＝４の拡散コードを用いて４個のＳＣ−ＦＤＭＡシンボルに拡散されてマッピングされる。１２個のビットが［２ビット＊１２個の副搬送波＊８個のＳＣ−ＦＤＭＡシンボル］を通じて伝送されるので、コーディングレートは０．０６２５（＝１２／１９２）である。また、ＳＦ＝４の場合に、１ ＰＲＢ当たりに最大４個の端末を多重化することができる。
【０１４１】
図２９Ａを参照して説明した信号処理手順は単なる例示であり、図２９ＡでＰＲＢにマッピングされた信号は、等価の様々な信号処理手順を通じて得られてもよい。図２９Ｂ乃至図２９Ｇを参照して、図２９Ａに例示したのと等価の信号処理手順を説明する。
【０１４２】
図２９Ｂは、図２９ＡにおいてＤＦＴプリコーダと拡散ブロックとの処理順序を入れ替えたものである。図２９Ａにおいて拡散ブロックの機能は、ＤＦＴプリコーダから出力されたＤＦＴシンボル列にＳＣ−ＦＤＭＡシンボルレベルで特定の定数をかけるに等しいものあるから、これらの順序を入れ替えても、ＳＣ−ＦＤＭＡシンボルにマッピングされる信号の値は同一である。したがって、ＰＵＣＣＨフォーマット３のための信号処理手順は、チャネルコーディング、変調、分周、拡散、ＤＦＴプリコーディングの順にすることができる。この場合、分周過程と拡散過程は一つの機能ブロックにより行われてもよい。一例として、変調シンボルをそれぞれのスロットに交互に分周しながら、それぞれの変調シンボルを分周と同時にＳＣ−ＦＤＭＡシンボルレベルで拡散させることができる。他の例として、変調シンボルをそれぞれのスロットに分周する時にそれぞれの変調シンボルを拡散コードのサイズに対応するように複写し、これらの変調シンボルと拡散コードの各元素を１対１で掛けることができる。そのため、スロット別に生成された変調シンボル列は、ＳＣ−ＦＤＭＡシンボルレベルで複数のＳＣ−ＦＤＭＡシンボルに拡散される。その後、それぞれのＳＣ−ＦＤＭＡシンボルに対応する複素シンボル列は、ＳＣ−ＦＤＭＡシンボル単位にＤＦＴプリコーディングされる。
【０１４３】
図２９Ｃは、図２９Ａにおいて変調器と分周器との処理順序を入れ替えたものである。そのため、ＰＵＣＣＨフォーマット３のための処理手順は、サブフレームレベルでジョイントチャネルコーディングと分周が行われ、それぞれのスロットレベルで変調、ＤＦＴプリコーディング、拡散の順に行われる。
【０１４４】
図２９Ｄは、図２９Ｃにおいて、ＤＦＴプリコーダと拡散ブロックとの処理順序をさらに入れ替えたものである。前述したように、拡散ブロックの機能は、ＤＦＴプリコーダから出力されたＤＦＴシンボル列にＳＣ−ＦＤＭＡシンボルレベルで特定の定数を掛けるに等しいものであるから、それらの順序を入れ替えても、ＳＣ−ＦＤＭＡシンボルにマッピングされる信号の値は同一である。したがって、ＰＵＣＣＨフォーマット３のための信号処理手順は、サブフレームレベルでジョイントチャネルコーディングと分周が行われ、それぞれのスロットレベルで変調が行われる。スロット別に生成された変調シンボル列は、ＳＣ−ＦＤＭＡシンボルレベルで複数のＳＣ−ＦＤＭＡシンボルに拡散され、それぞれのＳＣ−ＦＤＭＡシンボルに対応する変調シンボル列は、ＳＣ−ＦＤＭＡシンボル単位にＤＦＴプリコーディングの順になる。この場合、変調過程と拡散過程は、一つの機能ブロックにより行われてもよい。一例として、コーディングビットを変調しながら、生成された変調シンボルを直ちにＳＣ−ＦＤＭＡシンボルレベルで拡散させることができる。他の例として、コーディングビットの変調時に生成された変調シンボルを拡散コードのサイズに対応するように複写し、これらの変調シンボルと拡散コードの各元素を１対１で掛けることができる。
【０１４５】
図２９Ｅは、本実施例に係るＰＵＣＣＨフォーマット３をＰＵＣＣＨフォーマット２（標準ＣＰ）の構造に適用する場合を示し、図２９Ｆは、本実施例に係るＰＵＣＣＨフォーマット３をＰＵＣＣＨフォーマット２（拡張ＣＰ）の構造に適用する場合を示す。基本的な信号処理手順は、図２９Ａ乃至図２９Ｄを参照して説明した通りである。ただし、既存ＬＴＥのＰＵＣＣＨフォーマット２構造を再使用することから、ＰＵＣＣＨフォーマット３でＵＣＩ ＳＣ−ＦＤＭＡシンボル及びＲＳ ＳＣ−ＦＤＭＡシンボルの個数／位置が、図２９Ａとは異なってくる。
【０１４６】
表１４には、図示のＰＵＣＣＨフォーマット３でＲＳ ＳＣ−ＦＤＭＡシンボルの位置を示す。標準ＣＰの場合に、スロットにおけるＳＣ−ＦＤＭＡシンボルは７個（インデックス：０〜６）であり、拡張ＣＰの場合に、スロットにおけるＳＣ−ＦＤＭＡシンボルは６個（インデックス：０〜５）であるとする。
【０１４７】
【表４２】
0005890391.tif 000052
【０１４８】
【表４３】
0005890391.tif 000053
【０１４９】
【表４４】
0005890391.tif 000054
【０１５０】
【表４５】
0005890391.tif 000055
【０１５１】
コードインデックスｍは、あらかじめ指定されたり、基地局からシグナリングされたりすることができる。一例として、コードインデックスｍは、ＰＤＣＣＨを構成するＣＣＥインデックス（例、最小のＣＣＥインデックス）と暗黙的（ｉｍｐｌｉｃｉｔｌｙ）にリンク可能である。また、コードインデックスｍは、ＰＤＣＣＨまたはＲＲＣシグナリングを通じて明示的に指定されてもよい。また、コードインデックスｍは、ＰＤＣＣＨまたはＲＲＣシグナリングを通じて指定された値から類推されてもよい。また、コードインデックスｍは、サブフレーム単位、スロット単位、複数のＳＣ−ＦＤＭＡシンボル単位に独立して与えられるものでよい。好適には、コードインデックスｍは、サブフレーム単位、スロット単位、複数のＳＣ−ＦＤＭＡシンボル単位に変更可能である。すなわち、コードインデックスｍは一定の時間区間単位にホッピング可能である。
【０１５２】
図示してはいないが、セル間干渉ランダム化のためにＰＣＩ（Ｐｈｙｓｉｃａｌ  Ｃｅｌｌ  ＩＤ）に相応するスクランブルコード（例、ゴールドコードのようなＰＮコード）を用いたセル−特定（ｃｅｌｌ−ｓｐｅｃｉｆｉｃ）スクランブルあるいは端末−ＩＤ（例、ＲＮＴＩ）に相応するスクランブルコードを用いた端末−特定（ＵＥ−ｓｐｅｃｉｆｉｃ）スクランブルがさらに適用されてもよい。スクランブルは、全体情報に対して行われたり、ＳＣ−ＦＤＭＡシンボル−内でまたはＳＣ−ＦＤＭＡシンボル−間に行われたり、これら両方において行われたりすることができる。全体情報に対するスクランブルは、分周前の情報ビットレベル、コーディングビットレベル、変調シンボルレベルでスクランブルを行うことによってなればよい。ＳＣ−ＦＤＭＡシンボル−内スクランブルは、分周後に変調シンボルレベルまたはＤＦＴシンボルレベルでスクランブルを行うことによってなればよい。また、ＳＣ−ＦＤＭＡシンボル−間スクランブルは、拡散後に時間ドメインにおいてＳＣ−ＦＤＭＡシンボルレベルでスクランブルを行うことによってなりうる。
【０１５３】
【表４６】
0005890391.tif 000056
【０１５４】
【表４７】
0005890391.tif 000057
【０１５５】
ＤＦＴプリコーダの前段における拡散及び／またはインターリービング後に、生成された信号は、ＤＦＴプリコーディング後（必要時には、ＳＣ−ＦＤＭＡシンボルレベルで時間拡散をさらに行う）に、該当のＳＣ−ＦＤＭＡシンボルの副搬送波にマッピングされる。
【０１５６】
図３０には、本実施例に係るＰＵＣＣＨフォーマット３の他の構造を例示する。このＰＵＣＣＨフォーマット３の構造は、図２９で例示した構造と基本的に同一である。ただし、互いに異なるコーディングビットがそれぞれのスロットに分周される代わりに、同じコーディングビットがスロット単位に反復されるという点で、図２９の構造と異なる。そのため、図３０の信号処理ブロックは分周器（ｄｉｖｉｄｅｒ）を含まない。
【０１５７】
以下、複数のＤＬ ＣＣから受信したデータに対して多重ＡＣＫ／ＮＡＣＫビットを伝送する状況を仮定して端末にＰＵＣＣＨリソースを割り当てる方法について例示する。説明の便宜上、ＰＵＣＣＨリソースは、制御情報伝送のためのリソース及び／またはＲＳ伝送のためのリソースを含む。便宜上、制御情報伝送のための（準）直交リソースをリソースＡとし、ＲＳ伝送のための（準）直交リソースをリソースＢとしよう。リソースＡは、ＰＲＢインデックスと拡散コード（例、ウォルシュコード）インデックスのうちの少なくとも一つを含み、リソースＡに対して一つの代表論理インデックスを与え、それからＰＲＢインデックスと拡散コードインデックスが類推できる。リソースＢは、ＰＲＢインデックス、巡回シフトインデックス及び直交カバーインデックスのうちの少なくとも一つを含み、リソースＢに対して一つの代表論理インデックスを与え、それからＰＲＢインデックス、巡回シフトインデックス及び直交カバーインデックスが類推できる。リソースＡとリソースＢの論理インデックスは互いにリンク可能である。また、リソースＡ及びリソースＢをなす具体的なリソースのインデックスも互いにリンク可能である。また、別途の（代表）ＰＵＣＣＨリソースインデックスを定義し、これをリソースＡ及び／またはリソースＢとリンクしてもよい。すなわち、別途のＰＵＣＣＨリソースインデックスからリソースＡ及び／またはリソースＢを類推することができる。
【０１５８】
第一のリソース割当方案として、リソースＡ及び／またはリソースＢを全てシグナリングすることができる。一例として、リソースＡ、リソースＢの両方を物理制御チャネル（例、ＰＤＣＣＨ）またはＲＲＣシグナリングを通じて知らせることができる。この時、制御情報伝送のためのリソースＡインデックスとＲＳ伝送のためのリソースＢインデックスはそれぞれシグナリングされてもよく、いずれか一方のみシグナリングされてもよい。例えば、ＲＳのフォーマットとインデクシングが既存ＬＴＥの方法をそのまま従うとすれば、ＲＳのためのリソースＢインデックスのみをシグナリングすればよい。制御情報はＲＳと同一のＰＲＢで伝送されることが好ましいので、ＲＳのためのリソースＢインデックスから制御情報のためのＰＲＢインデックスを類推し、ＰＲＢインデックスに該当するＰＲＢを通じて制御情報を伝送することができる。また、制御情報に用いられる直交コードインデックスは、ＲＳに用いられる直交カバーインデックスまたは巡回シフトインデックスから類推できる。他の例として、別途のＰＵＣＣＨリソースインデックスをシグナリングし、それからリソースＡ及び／またはリソースＢを類推してもよい。すなわち、別途のＰＵＣＣＨリソースインデックスが与えられると、それから制御情報のためのＰＲＢ及び／または直交カバーインデックス、ＲＳのためのＰＲＢ、直交カバーインデックス及び／または巡回シフトインデックスを類推することができる。
【０１５９】
シグナリングオーバーヘッド及びリソースの効率的な使用のために、上位層シグナリング（例、ＲＲＣシグナリング）を通じて端末または端末グループに複数のＰＵＣＣＨ候補リソース（インデックス）を知らせ、物理制御チャネル（例、ＰＤＣＣＨ）を通じて特定ＰＵＣＣＨリソース（インデックス）を指示することができる。ＰＵＣＣＨリソース（インデックス）は、上述したように、［リソースＡインデックス及びリソースＢインデックス］、［リソースＡインデックスまたはリソースＢインデックス］、または［別途のＰＵＣＣＨリソースインデックス］と与えられることが可能である。具体的に、ＰＵＣＣＨリソースインデックスは、ＤＬセカンダリＣＣのＰＤＣＣＨを通じてシグナリングすることができる。キャリア組み合わせが適用される場合に、ＵＬプライマリＣＣでのみＰＵＣＣＨが伝送されるので、敢えてＤＬセカンダリＣＣのＴＰＣ（Ｔｒａｎｓｍｉｔ  Ｐｏｗｅｒ  Ｃｏｎｔｒｏｌ）を用いる理由はない。そのため、ＰＵＣＣＨリソース（インデックス）を、ＤＬセカンダリＣＣで伝送されるＰＤＣＣＨのＴＰＣフィールドを通じてシグナリングすることができる。
【０１６０】
第二の割当方案として、動的ＡＣＫ／ＮＡＣＫリソース割当の場合に、既存ＬＴＥの暗黙的（ｉｍｐｌｉｃｉｔ）方法を再使用することができる。例えば、特定ＤＬ ＣＣ（例、Ｐｒｉｍａｒｙ  ＤＬ  ＣＣ）のＤＬグラントに該当するＰＤＣＣＨの最小（ｌｏｗｅｓｔ）のＣＣＥインデックスに相応し、かつ、ＬＴＥ規則（ｎr＝ｎcce＋Ｎ＿ＰＵＣＣＨ(1)）に従うリソースインデックスを類推することができる。ｎrは、リソースＡ（及び／またはリソースＢ）インデックスを表し、ｎcceは、ＰＤＣＣＨを構成する最小のＣＣＥインデックスを表し、Ｎ＿ＰＵＣＣＨ(1)は、上位層により設定される値を表す。一例として、ＲＳ区間は、類推されたリソースインデックスに該当するリソースを用いることができる。制御情報の場合に、類推されたリソースインデックスからＰＲＢインデックスを再び類推した後に、該当のＰＲＢで該当のリソース（例、拡散コード）を用いて複数のＤＬ ＣＣに対するＡＣＫ／ＮＡＣＫを伝送することができる。あるいは、制御情報に対するリソースインデックスからＲＳに対するリソースインデックスを類推する場合に、制御情報区間にはＲＳリソース（例、巡回シフト、直交カバー、ＰＲＢインデックスの組み合わせ）のうち、巡回シフトインデックスに対応するリソースが用いられないので、ＲＳに用いられる巡回シフトインデックスは、制御情報に対するリソースインデックスから類推されるとよい。この場合、ＲＳリソースの巡回シフトインデックスは特定値（例、ｎcs＝０）と仮定して用いることができる。
【０１６１】
多重アンテナ伝送方法を用いてＰＵＣＣＨを伝送する方案について説明する。便宜上、２Ｔｘ伝送ダイバーシティ手法（ｔｒａｎｓｍｉｔ  ｄｉｖｅｒｓｉｔｙ  ｓｃｈｅｍｅ）を説明するが、下記の例示は、ｎ−Ｔｘ伝送ダイバーシティ手法に同一／類似に拡張されてもよい。便宜上、上で仮定した通り、制御情報伝送のための（準）直交リソースをリソースＡとし、ＲＳ伝送のための（準）直交リソースをリソースＢとする。リソースＡとリソースＢの論理インデックスを互いにリンク可能である。例えば、リソースＢの論理インデックスが与えられると、リソースＡの論理インデックスが自動的に与えられる。また、リソースＡとリソースＢに対する論理インデックスの物理的構成方法を互いに異ならせることができる。主に、下記２つの場合が存在する。
【０１６２】
１）制御情報を、いずれのアンテナ（ポート）においても同一ＰＲＢを通じて伝送することができる。
Ａ．制御情報を、アンテナ（ポート）別に選択された２個の互いに異なるリソースＡ（例、互いに異なるインデックスのウォルシュあるいはＤＦＴコード）を通じて伝送することができる。
Ｂ．ＲＳを、アンテナ（ポート）別に選択された２個の互いに異なるリソースＢ（例、巡回シフトとＤＦＴカバーとの組み合わせ）を通じて伝送することができる。
【０１６３】
２）制御情報を、アンテナ別に互いに異なるＰＲＢを通じて伝送することができる。一例として、制御情報をアンテナ（ポート）０でＰＲＢ＃４を通じて伝送し、アンテナ（ポート）１でＰＲＢ＃６を通じて伝送することができる。
Ａ．互いに異なるアンテナ（ポート）を通じて伝送する制御情報には、リソースが特に制約されない（すなわち、互いに同一でも異なってもよい）。
Ｂ．互いに異なるアンテナ（ポート）を通じて伝送するＲＳには、リソースが特に制約されない（すなわち、互いに同一でも異なってもよい）。
【０１６４】
多重アンテナ伝送（例、２Ｔｘ伝送）モードで、制御情報伝送のための２個のリソースＡ（例、直交コード）とＲＳ伝送のための２個のリソースＢ（例、巡回シフトとＤＦＴカバーとの組み合わせ）は、あらかじめ定義されてもよく、物理制御チャネル（例、ＰＤＣＣＨ）／ＲＲＣシグナリングを通じて与えられてもよい。この場合、制御情報とＲＳのためのシグナリングは個別に行われるとよい。また、いずれか一つのアンテナ（ポート）のためのリソース情報がシグナリングされると、他のアンテナ（ポート）のためのリソース情報は、既にシグナリングされたリソース情報から類推されてもよい。一例として、制御情報のための拡散コードインデックスｍは、あらかじめ指定されてもよく、基地局からシグナリングされてもよい。他の例として、拡散コードインデックスｍは、ＰＤＣＣＨを構成するＣＣＥインデックスと暗黙的（ｉｍｐｌｉｃｉｔｌｙ）にリンクされてもよい。さらに他の例として、拡散コードインデックスｍは、ＰＤＣＣＨまたはＲＲＣシグナリングを通じて明示的に指定されてもよい。さらに他の例として、拡散コードインデックスｍは、ＲＳのための直交コードインデックスまたは巡回シフトインデックスとリンクされてもよい。一方、拡散コードインデックスｍは、サブフレーム単位、スロット単位、複数のＳＣ−ＦＤＭＡシンボル単位に変更可能である。すなわち、拡散コードインデックスｍは一定の時間区間単位（例、スロット）にホッピング可能である。
【０１６５】
実施例２
【０１６６】
図３１及び図３２には、本実施例に係るＰＵＣＣＨフォーマット３の構造及びそのための信号処理手順を例示する。本実施例は、制御情報を周波数ドメインにインターリービング方式とローカル方式でＦＤＭマッピングする場合を例示する。ＦＤＭマッピングは、端末多重化あるいはアンテナ（ポート）多重化などの用途に用いることができる。ＦＤＭマッピングは例示であり、本実施例は、時間／周波数ドメイン巡回シフトなどを用いたＣＤＭマッピングにも適用可能である。
【０１６７】
図３１を参照すると、チャネルコーディングブロック（ｃｈａｎｎｅｌ  ｃｏｄｉｎｇ  ｂｌｏｃｋ）は、情報ビットａ＿０，ａ＿１，…，ａ＿Ｍ−１（例、多重ＡＣＫ／ＮＡＣＫビット）をチャネルコーディングしてコーディングビット（ｅｎｃｏｄｅｄ  ｂｉｔ、ｃｏｄｅｄ  ｂｉｔ  ｏｒ  ｃｏｄｉｎｇ  ｂｉｔ）（またはコードワード）ｂ＿０，ｂ＿１，…，ｂ＿Ｎ−１を生成する。Ｍは、情報ビットのサイズを表し、Ｎは、コーディングビットのサイズを表す。情報ビットは、アップリンク制御情報（ＵＣＩ）、例えば、多重ＡＣＫ／ＮＡＣＫを含む。ここで、情報ビットａ＿０，ａ＿１，…，ａ＿Ｍ−１は、情報ビットを構成するＵＣＩの種類／個数／サイズにかかわらずにジョイントコーディングされる。例えば、情報ビットが複数のＤＬ ＣＣに対する多重ＡＣＫ／ＮＡＣＫを含む場合に、チャネルコーディングは、ＤＬ ＣＣ別、個別ＡＣＫ／ＮＡＣＫビット別に行われず、全体ビット情報に対して行われ、これから単一コードワードが生成される。チャネルコーディングは、これに制限されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）あるいはターボ・コーディングを含む。図示してはいないが、コーディングビットは、変調次数及びリソース量を考慮してレート−マッチング（ｒａｔｅ−ｍａｔｃｈｉｎｇ）されるとよい。レートマッチング機能は、チャネルコーディングブロックの一部として含まれてもよく、別途の機能ブロックによって行われてもよい。
【０１６８】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１６９】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周できる。また、変調シンボルをそれぞれのスロットに分周する時にインターリービング（またはパーミュテーション）することができる。例えば、偶数番目の変調シンボルは、スロット０に分周し、奇数番目の変調シンボルはスロット１に分周することができる。変調過程と分周過程は互いに順序が換わってもよい。
【０１７０】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、６−ポイントＤＦＴ）を行う。同図で、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１としてＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１としてＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に代替可能である。
【０１７１】
拡散ブロック（ｓｐｒｅａｄｉｎｇ  ｂｌｏｃｋ）は、ＤＦＴされた信号を、ＳＣ−ＦＤＭＡシンボルレベルで（時間ドメイン）拡散する。ＳＣ−ＦＤＭＡシンボルレベルの時間ドメイン拡散は、拡散コード（シーケンス）を用いて行われる。拡散コードは、準直交コードと直交コードを含む。直交コードは、これに制限されるわけではないが、ウォルシュコード、ＤＦＴコードを含む。拡散コードサイズ（または、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、端末の多重化次数（ｍｕｌｔｉｐｌｅｘｉｎｉｇ  ｏｒｄｅｒ）またはアンテナ多重化次数と関連することがある。ＳＦは、１、２、３、４、…のように、システムの要求条件によって可変でき、基地局と端末間にあらかじめ定義されたり、ＤＣＩあるいはＲＲＣシグナリングを通じて端末に知らせられたりすることができる。例えば、ＳＲＳなどにより、制御情報のためのＳＣ−ＦＤＭＡシンボルがパンクチャリングされる場合に、当該スロットの制御情報にはＳＦ＝３の拡散コードを適用することができる。拡散コードの例は、前述の表１５及び表１６を参照すればよい。
【０１７２】
上の過程を経て生成された信号は、ＰＲＢ内の副搬送波にマッピングされる。実施例１と違い、本実施例では、拡散された信号はそれぞれのＳＣ−ＦＤＭＡシンボル内で不連続的に副搬送波にマッピングされる。図３１は、拡散された信号がＳＣ−ＦＤＭＡシンボル内にインターリービング方式でマッピングされた場合を示し、図３２は、拡散された信号がＳＣ−ＦＤＭＡシンボル内にローカル方式でマッピングされた場合を示す。その後、副搬送波にマッピングされる周波数ドメイン信号は、ＩＦＦＴを経て時間ドメイン信号に変換される。時間ドメイン信号にはＣＰが付加され、生成されたＳＣ−ＦＤＭＡシンボルはＲＦ端を通じて伝送される。
【０１７３】
５個のＤＬ ＣＣに対するＡＣＫ／ＮＡＣＫを伝送する場合を仮定して各過程をより具体的に例示する。それぞれのＤＬ ＣＣが２個のＰＤＳＣＨを伝送できる場合に、それに対するＡＣＫ／ＮＡＣＫビットは、ＤＴＸ状態を含む場合に１２ビットでよい。ＱＰＳＫ変調、ＳＦ＝４の時間拡散及び不連続マッピングを仮定する場合に、（レートマッチング後の）コーディングブロックサイズは２４ビットでよい。ＱＰＳＫ変調後に、コーディングビットは１２個のＱＰＳＫシンボルに変調され、生成されたＱＰＳＫシンボルは６個ずつ各スロットに分周される。各スロットで６個のＱＰＳＫシンボルは６−ポイントＤＦＴ演算を通じて６個のＤＦＴシンボルに変換される。各スロットで６個のＤＦＴシンボルは時間ドメインでＳＦ＝４拡散コードを用いて４個のＳＣ−ＦＤＭＡシンボルに拡散されてマッピングされる。１２個のビットが［２ビット＊６個の副搬送波＊８個のＳＣ−ＦＤＭＡシンボル］を通じて伝送されるので、ＡＣＫ／ＮＡＣＫ情報に対するコーディングレートは０．１２５（＝１２／９６）になる。また、ＳＦ＝４の場合に、１ ＰＲＢ当たりに最大８つの端末を多重化することができる。
【０１７４】
ＤＦＴシンボルを周波数ドメインにマッピングする時に副搬送波間隔を２から３にすると、最大１２個の端末を多重化でき、副搬送波の間隔を４／６にすると、それぞれ１６／２４個の端末を多重化できる。この時、ＲＳは、既存ＬＴＥで用いたＳＦ＝３のＤＦＴコードと巡回シフトを適用することができる。既存ＬＴＥでウォルシュＳＦ＝４の場合に、［１ １ −１ −１］は、ＲＳのＳＦ＝３により多重化次数が制限されて用いられなかったが、本発明では再び用いられるように定義することができる。
【０１７５】
図示してはいないが、セル−間干渉ランダム化のためにＰＣＩ（Ｐｈｙｓｉｃａｌ  Ｃｅｌｌ  ＩＤ）に相応するスクランブルコード（例、ゴールドコードのようなＰＮコード）を用いたセル−特定（ｃｅｌｌ−ｓｐｅｃｉｆｉｃ）スクランブル、あるいは端末−ＩＤ（例、ＲＮＴＩ）に相応するスクランブルコードを用いた端末−特定（ＵＥ−ｓｐｅｃｉｆｉｃ）スクランブルがさらに適用されてもよい。スクランブルは、全体情報に対して行われたり、ＳＣ−ＦＤＭＡシンボル−内でまたはＳＣ−ＦＤＭＡシンボル−間に行われたり、これら両方において行われたりすることができる。全体情報に対するスクランブルは、分周前の情報ビットレベル、コーディングビットレベル、変調シンボルレベルでスクランブルを行うことによってなりうる。ＳＣ−ＦＤＭＡシンボル−内スクランブルは、分周後に変調シンボルレベルまたはＤＦＴシンボルレベルでスクランブルを行うことによってなりうる。また、ＳＣ−ＦＤＭＡシンボル−間スクランブルは、拡散後に時間ドメインにおいてＳＣ−ＦＤＭＡシンボルレベルでスクランブルを行うことによってなりうる。
【０１７６】
また、ＤＦＴプリコーダの前段にＣＤＭを適用して端末多重化を図ることができる。一例として、ＤＦＴの前段は、時間ドメイン信号であるから巡回シフト（ｃｉｒｃｕｌａｒ  ｓｈｉｆｔ  ｏｒ  ｃｙｃｌｉｃ  ｓｈｉｆｔ）あるいはウォルシュ（またはＤＦＴ）拡散を通じてＣＤＭを具現することができる。ＣＤＭ多重化は、情報ビットレベル、コーディングビットレベル、変調シンボルレベルのいずれか一方で行われるとよい。具体的に、ＳＦ＝２のウォルシュコードで２個の端末を一つのＳＣ−ＦＤＭＡシンボルに多重化する場合を例示する。コーディングビットが６ビットの場合に、ＱＰＳＫ変調を行うと、ａ０，ａ１，ａ２の複素信号が生成される。各端末の制御情報を［＋１ ＋１］［＋１ −１］のウォルシュコードで拡散した例は、下記の通りである。
−ＵＥ＃０：［＋１ ＋１］を適用。ａ0，ａ1，ａ2，ａ0，ａ1，ａ2を伝送
−ＵＥ＃１：［＋１ −１］を適用。ａ0，ａ1，ａ2，−ａ0，−ａ1，−ａ2を伝送
【０１７７】
この場合、インターリービングをさらに行うことができる。インターリービングは、拡散の前または後に適用することができる。拡散及びインターリービングの両方を適用した例は、下記の通りである。
−ＵＥ＃０：［＋１ ＋１］を適用。ａ0，ａ0，ａ1，ａ1，ａ2，ａ2を伝送
−ＵＥ＃１：［＋１ −１］を適用。ａ0，−ａ0，ａ1，−ａ1，ａ2，−ａ2を伝送
【０１７８】
図３３及び図３４には、本実施例に係るＰＵＣＣＨフォーマットの他の構造を例示する。このＰＵＣＣＨフォーマット３の構造は、図３１及び３２で例示した構造と基本的に同一である。ただし、互いに異なるコーディングビットがそれぞれのスロットに分周される代わりに、同じコーディングビットがスロット単位に反復されるという点で、図３１及び３２の構造と異なる。そのため、図３３及び図３４は分周器（ｄｉｖｉｄｅｒ）を含まない。
【０１７９】
以下、複数のＤＬ ＣＣから受信したデータに対して多重ＡＣＫ／ＮＡＣＫビットを伝送する状況を仮定して端末にリソースを割り当てる方法について例示する。説明の便宜上、制御情報伝送のための（準）直交リソースをリソースＡとし、ＲＳ伝送のための（準）直交リソースをリソースＢとする。リソースＡは、ＰＲＢインデックス、拡散コード（例、ウォルシュコード）インデックス、及び周波数因子による副搬送波シフト（またはオフセット、インデックス）のうちの少なくとも一つを含み、リソースＡに対して一つの代表論理インデックスが与えられ、それからＰＲＢインデックス、拡散コードインデックス、及び周波数因子による副搬送波シフト（またはオフセット、インデックス）のうち、少なくとも一つが類推可能である。リソースＢは、ＰＲＢインデックス、巡回シフトインデックス及び直交カバーインデックスのうちの少なくとも一つを含み、リソースＢに対して一つの代表論理インデックスが与えられ、それからＰＲＢインデックス、巡回シフトインデックス及び直交カバーインデックスが類推可能である。リソースＡとリソースＢの代表論理インデックスは互いにリンク可能である。また、リソースＡ及びリソースＢをなす細部リソースのインデックスも互いにリンク可能である。
【０１８０】
第一のリソース割当方案として、リソースＡとリソースＢの両方をシグナリングすることができる。一例として、リソースＡとリソースＢの両方を物理制御チャネル（例、ＰＤＣＣＨ）またはＲＲＣシグナリングを通じて知らせることができる。この時、制御情報伝送のためのリソースＡインデックスとＲＳ伝送のためのリソースＢインデックスがそれぞれシグナリングされてもよく、いずれか一方のみシグナリングされてもよい。例えば、ＲＳのフォーマットとインデクシングが既存ＬＴＥの方法をそのまま従うとすれば、ＲＳのためのリソースＢインデックスのみをシグナリングすることができる。制御情報は、ＲＳと同一のＰＲＢで伝送されることが好ましいので、ＲＳのためのリソースＢインデックスから制御情報のためのＰＲＢインデックスを類推し、ＰＲＢインデックスに該当するＰＲＢを通じて制御情報を伝送することができる。また、制御情報に用いられる直交コードインデックスは、ＲＳに用いられる直交カバーインデックスから類推可能である。また、リソースＡの周波数因子による副搬送波シフト（またはオフセット、インデックス）は、ＲＳで用いられる巡回シフトインデックスから類推可能である。他の例として、リソースＡの周波数因子による副搬送波シフト（またはオフセット、インデックス）は、ＲＲＣシグナリングされてもよい。ここで、リソースＡの周波数因子（あるいは、それに相応する線形演算、例えば、周波数因子の逆数）は、ＲＲＣシグナリングされてもよく、ＤＬ ＣＣの個数によって暗黙的に決定されてもよい。すなわち、周波数因子は、システムによって設定（ｃｏｎｆｉｇｕｒａｔｉｏｎ）されてもよく、あらかじめ指定されてもよい。
【０１８１】
一方、ＲＳ区間にも、制御情報と同様にＦＤＭマッピングを適用することができる。ただし、制御情報の場合には、ＤＦＴプリコーディングを適用して低いＰＡＰＲ／ＣＭの信号を生成するのに対し、ＲＳの場合には、既に指定された低い−ＣＭシーケンスを用いるため、ＤＦＴプリコーダ無しで周波数ドメインで直接生成することができる（すなわち、ＤＦＴプリコーダを省略可能である）。ただし、技術的には、ＦＤＭマッピングよりは、巡回シフトを用いるＣＤＭマッピングをＲＳ区間に適用することが、下記の理由からより好ましい。
【０１８２】
−  ＲＳにＦＤＭマッピングを用いる場合に、様々な長さのシーケンス設計が必要である。すなわち、既存ＬＴＥにおいてＲＳのための最小のシーケンス長は１２であるが、周波数因子（ＦＦ）（または、副搬送波間隔）が２の場合は、長さ６の新しいシーケンス設計が必要である。
【０１８３】
−  ＲＳにＦＤＭマッピングを用いる場合に、特定周波数ポジションのチャネルを推定し、他の部分に対しては内挿（ｉｎｔｅｒｐｏｌａｔｉｏｎ）を行うので、高い周波数選択的チャネルではチャネル推定性能が劣化することがある。しかし、ＣＤＭマッピングの場合には、ＲＳがすべての周波数領域をカバーするので、そのような性能劣化がない。
【０１８４】
第二のリソース割当方案として、動的ＡＣＫ／ＮＡＣＫリソース割当の場合に、既存ＬＴＥの暗黙的（ｉｍｐｌｉｃｉｔ）方法を再使用することができる。例えば、特定ＤＬ ＣＣ（例、Ｐｒｉｍａｒｙ ＤＬ ＣＣ）のＤＬグラントに該当するＰＤＣＣＨの最小（ｌｏｗｅｓｔ）のＣＣＥインデックスに相応し、かつ、ＬＴＥ規則（ｎr＝ｎcce＋Ｎ＿ＰＵＣＣＨ(1)）に従うリソースインデックスを類推することができる。ｎrは、リソースＡ（及び／またはリソースＢ）インデックスを表し、ｎcceは、ＰＤＣＣＨを構成する最小のＣＣＥインデックスを表し、Ｎ＿ＰＵＣＣＨ(1)は、上位層により設定される値を表す。一例として、ＲＳ区間は、類推されたリソースインデックスに該当するリソースインデックスを従うことができる。制御情報の場合に、類推されたリソースインデックスからＰＲＢインデックスを再び類推した後に、該当のＰＲＢで該当のリソース（例、拡散コード及び／または周波数因子による副搬送波シフト（またはオフセット、インデックス））を用いて複数のＤＬ ＣＣに対するＡＣＫ／ＮＡＣＫを伝送することができる。あるいは、制御情報に対するリソースインデックスからＲＳに対するリソースインデックスを類推する場合に、制御情報区間にはＲＳリソース（例、巡回シフト、直交カバー、ＰＲＢインデックスの組み合わせ）のうち、巡回シフトインデックスに対応するリソースが用いられないので、ＲＳに用いられる巡回シフトインデックスは制御情報に対するリソースインデックスから類推することができない。この場合、ＲＳリソースの巡回シフトインデックスは特定値（例、ｎcs＝０）と仮定して用いることができる。
【０１８５】
図３５〜図４１は、本発明の実施例によってリソースインデックスを定義する方法を例示する。図３５〜図４１は、制御情報のためのリソースインデックス（すなわち、リソースＡインデックス）を、副搬送波マッピングパターン／位置（例、副搬送波インデックスまたはオフセット）と拡散コード（例、直交コード）との組み合わせで定義する場合を中心に例示した。制御情報伝送のためのＰＲＢは、ＲＳのためのＰＲＢが確認されると、同一のＰＲＢと設定することができる。他の例として、制御情報伝送のためのＰＲＢは、物理制御チャネル（例、ＰＤＣＣＨ）／ＲＲＣシグナリングされてもよい。一方、この例で、制御情報のための周波数因子による副搬送波シフト（または、オフセット、インデックス）は、ＲＳの巡回シフトインデックスから類推可能である。他の例として、周波数因子による副搬送波シフト（または、オフセット、インデックス）は、ＲＲＣシグナリングされてもよい。ここで、周波数因子は、ＲＲＣシグナリングされてもよく、ＤＬ ＣＣの個数によって暗黙的に決定されてもよい。すなわち、周波数因子は、システムにより設定（ｃｏｎｆｉｇｕｒａｔｉｏｎ）されてもよく、あらかじめ指定されてもよい。この場合、制御情報のためのチャネルリソースは、細部リソースの組み合わせ（例、［ＰＲＢ、拡散コード］または［ＰＲＢ、拡散コード、周波数因子］）を指示するための代表インデックスは別に定義されなくてもよい。
【０１８６】
図３５〜図４１を参照すると、ボックス中の数字は、リソースインデックス（すなわち、制御情報伝送のためのリソースＡインデックス）を意味する。この例において、制御情報のためのリソースインデックスは［直交コードインデックス、副搬送波シフト（または、オフセット、インデックス）］とリンクされる。そのため、制御情報は、リソースインデックスに対応する直交コードを用いてＳＣ−ＦＤＭＡシンボルレベルで拡散され、リソースインデックスに対応する副搬送波にマッピングされる。図３５〜図４１は、リソースインデックスを周波数リソース（副搬送波インデックス）が増加する順にカウントしたが、まず直交コードインデックス軸に沿ってカウントしてもよい。図３５Ｂ、図３６Ｂ、図３７Ｂ、図３８Ｂ、図３９Ｂ及び図４０Ｂは、ＲＳ多重化次数（ｍｕｌｔｉｐｌｅｘｉｎｇ  ｏｒｄｅｒ）により制御情報のためのリソースインデクシングが制限される例を示している。例えば、ＲＳ多重化次数を３と仮定し、制御情報伝送のためにＳＦ＝４のウォルシュコードを用いると仮定する場合に、既存ＬＴＥのように［＋１ ＋１ −１ −１］（リソースインデックス３）が用いられなくてもよい。
【０１８７】
この例で説明したリソースインデックス値は、相対値（例、オフセット）でよい。例えば、既存ＬＴＥでは、バンドの最外側にＰＵＣＣＨフォーマット２／２ａ／２ｂが伝送され、その内側にＰＵＣＣＨフォーマット１／１ａ／１ｂと２／２ａ／２ｂが共存する１ ＰＲＢがあり、その内側にＰＵＣＣＨフォーマット１／１ａ／１ｂが伝送されることが可能である。ＰＵＣＣＨフォーマット１／１ａ／１ｂのためのＰＲＢとＰＵＣＣＨフォーマット２／２ａ／２ｂのためのＰＲＢとが共存する場合（ＬＴＥでは１つのＰＲＢのみがそれを許容する）に、当該ＰＲＢでＡＣＫ／ＮＡＣＫリソース個数がＭであれば、図面中の数字ｎは、実質的にＭ＋ｎを示すことができる。ここで、各周波数リソース（例、周波数因子）あるいは直交コードインデックスは、ＳＣ−ＦＤＭＡシンボルレベル／スロットレベルでセル−特定／端末−特定にホッピング可能である。
【０１８８】
図４１は、直交リソースインデックスを直交コードインデックス別にスタガリング（ｓｔａｇｇｅｒｉｎｇ）または周波数軸に沿って巡回シフトさせる場合を例示する。この例は、図３７Ａで、リソースインデックスに対して直交コードインデックス別に１個の副搬送波ずつスタガリングを適用した場合を示す。巡回シフトあるいは直交コードインデックスは、ＳＣ−ＦＤＭＡシンボルレベル／スロットレベルでセル−特定／端末−特定にホッピング可能である。
【０１８９】
図４２は、ＲＳのためのリソースインデクシング方法について説明する。ＲＳのためのリソースインデクシングは、既存ＬＴＥに定義された方法に従うことができる。
【０１９０】
【表４８】
0005890391.tif 000058
【０１９１】
この例で、ＲＳのためのリソースインデックスは、巡回シフト軸に沿ってまずカウントしたが、直交コード軸に沿ってまずカウントしてもよい。
【０１９２】
【表４９】
0005890391.tif 000059
【０１９３】
【表５０】
0005890391.tif 000060
【０１９４】
【表５１】
0005890391.tif 000061
【０１９５】
【表５２】
0005890391.tif 000062
【０１９６】
【表５３】
0005890391.tif 000063
【０１９７】
【表５４】
0005890391.tif 000064
【０１９８】
他の例として、周波数因子は、ＲＲＣシグナリングされたり、ＤＬ ＣＣの個数によって暗黙的（ｉｍｐｌｉｃｉｔ）に決定されてもよい。周波数因子がＤＬ ＣＣの個数によって暗黙的に変更される一例を取り上げる。より具体的に、周波数因子は、構成された（ｃｏｎｆｉｇｕｒｅｄ）ＤＬ ＣＣの個数によって暗黙的に決定されたり、活性化した（ａｃｔｉｖａｔｅｄ）ＤＬ ＣＣの個数によって暗黙的に決定される。例えば、５個の構成された（または活性化した）ＤＬ ＣＣのための周波数因子を２とあらかじめ指定して使用することができる。４、３、２、１個の構成された（または活性化した）ＤＬ ＣＣのための周波数因子はそれぞれ、３、４、６、１２のように暗黙的に指定して使用することができる。
【０１９９】
図４３Ａには、本実施例によって制御情報を多重アンテナを通じて伝送するための信号処理手順を例示する。図４３Ａを参照すると、全体的な流れは、実施例１及び２で図２９〜図３４を参照して説明したのと類似しているので、主な相違点であるＴｘＤ（Ｔｒａｎｓｍｉｔ  Ｄｉｖｅｒｓｉｔｙ）マッパーを中心に説明する。ＴｘＤマッパーは、多重アンテナ（ポート）を通じて制御情報を伝送するためのリソース割当／ＭＩＭＯ（Ｍｕｌｔｉｐｌｅ  Ｉｎｐｕｔ  Ｍｕｌｔｉｐｌｅ  Ｏｕｔｐｕｔ）プリコーディング／プロセスなどの過程を行う。
【０２００】
以下、ＴｘＤマッパーを用いてＰＵＣＣＨを多重アンテナモードで伝送する方案について例示する。便宜上、２Ｔｘ伝送ダイバーシティ手法（ｔｒａｎｓｍｉｔ  ｄｉｖｅｒｓｉｔｙ  ｓｃｈｅｍｅ）を説明するが、下の例示は、ｎ−Ｔｘ伝送ダイバーシティ手法にも同一／類似に拡張可能である。便宜上、上述と同様、制御情報伝送のための（準）直交リソースをリソースＡとし、ＲＳ伝送のための（準）直交リソースをリソースＢとする。リソースＡとリソースＢの論理インデックスは互いにリンク可能である。例えば、リソースＢの論理インデックスが与えられると、リソースＡの論理インデックスが自動的に与えられる。また、リソースＡとリソースＢに対する論理インデックスの物理的構成方法は互いに異ならせることができる。主に、下記２つの場合が存在する。
【０２０１】
１）制御情報を、いずれのアンテナ（ポート）においても同一ＰＲＢを通じて伝送することができる。
Ａ．制御情報を、アンテナ（ポート）別に選択された２個の互いに異なるリソースＡ（例、直交コード、及び周波数因子による副搬送波シフト（またはオフセット、インデックス）の組み合わせ）を通じて伝送することができる。例えば、直交コードは、ウォルシュコード、ＤＦＴコードを含む。周波数因子は、Ｎsc／Ｎfreqまたはその逆数と与えることができる。Ｎscは、ＰＲＢ内の副搬送波個数を表し、Ｎfreqは、ＰＲＢ内で制御情報伝送に用いられる副搬送波個数を表す。
Ｂ．ＲＳを、アンテナ（ポート）別に選択された２個の互いに異なるリソースＢ（例、巡回シフト及びＤＦＴカバーの組み合わせ）を通じて伝送することができる。
【０２０２】
２）制御情報を、アンテナごとに互いに異なるＰＲＢを通じて伝送することができる。一例として、制御情報は、アンテナ（ポート）０でＰＲＢ＃４を通じて伝送し、アンテナ（ポート）１でＰＲＢ＃６を通じて伝送することができる。
Ａ．互いに異なるアンテナ（ポート）を通じて伝送される制御情報間には、リソースが特に制約されない（すなわち、互いに同一でも異なってもよい）。
Ｂ．互いに異なるアンテナ（ポート）を通じて伝送されるＲＳ間には、リソースが特に制約されない（すなわち、互いに同一でも異なってもよい）。
【０２０３】
多重アンテナ伝送（例、２Ｔｘ伝送）モードで、制御情報伝送のための２個のリソースＡ（例、直交コード、及び周波数因子による副搬送波ポジション（例、シフト、オフセットまたはインデックス）の組み合わせ）と、ＲＳ伝送のための２個のリソースＢ（例、巡回シフト及びＤＦＴカバーの組み合わせ）は、あらかじめ定義されてもよく、物理制御チャネル（例、ＰＤＣＣＨ）またはＲＲＣシグナリングを通じて与えられてもよい。この場合、制御情報とＲＳのためのシグナリングは個別に行われるとよい。また、いずれか一方のアンテナ（ポート）のためのリソース情報がシグナリングされると、他方のアンテナ（ポート）のためのリソース情報は、既にシグナリングされたリソース情報から類推可能である。一例として、コードインデックスｍ及び／または周波数因子による副搬送波ポジション（例、シフト、オフセットまたはインデックス）は、あらかじめ指定されもよく、基地局からシグナリングされもよい。他の例として、コードインデックスｍ及び／または周波数因子による副搬送波ポジション（例、シフト、オフセットまたはインデックス）は、ＰＤＣＣＨを構成するＣＣＥインデックスと暗黙的（ｉｍｐｌｉｃｉｔｌｙ）にリンクされてもよい。さらに他の例として、コードインデックスｍ及び／または周波数因子による副搬送波ポジション（例、シフト、オフセットまたはインデックス）は、ＰＤＣＣＨまたはＲＲＣシグナリングを通じて明示的に指定されてもよい。一方、コードインデックスｍ及び／または周波数因子による副搬送波ポジション（例、シフト、オフセットまたはインデックス）は、サブフレーム単位、スロット単位、複数のＳＣ−ＦＤＭＡシンボル単位に変更可能である。すなわち、コードインデックスｍ及び／または周波数因子による副搬送波ポジション（例、シフト、オフセットまたはインデックス）は、一定の時間区間単位（例、スロット）にホッピング可能である。
【０２０４】
もし、ＲＳ区間の多重化次数が制御情報区間の多重化次数の２倍以上であるとすれば、次のような２Ｔｘ伝送ダイバーシティ手法を適用することができる。この時、ＲＳ区間のリソース（ＣＳ＋ＯＣ＋ＰＲＢ）のうちの２つは、２個の伝送アンテナのそれぞれのチャネル推定のために用いることができ、制御情報区間には１個のリソース（副搬送波ポジション＋ＯＣ＋ＰＲＢ）のみを用いることができる。
【０２０５】
伝送ダイバーシティ手法の他の例として、周波数ドメインでＤＦＴプリコーダの出力値にアラマウティ方法（ａｌａｍｏｕｔｉ  ｓｃｈｅｍｅ）を適用することができる。アラマウティ方法は、下記のような行列で表現できる。
【０２０６】
【数１０】
0005890391.tif 000065
【０２０７】
ここで、カラム０とカラム１はそれぞれ、アンテナ（ポート）０とアンテナ（ポート）１に伝送される信号ベクトルを意味し、ロー０とロー１はそれぞれ、第１の副搬送波と第２の副搬送波に伝送される複素信号ベクトルを意味する。＊は、複素共役演算（ｃｏｍｐｌｅｘ  ｃｏｎｊｕｇａｔｅ  ｏｐｅｒａｔｉｏｎ）を表す。上の行列から線形変換（ｌｉｎｅａｒ  ｔｒａｎｓｆｏｒｍａｔｉｏｎ）されたいずれの形態も、本発明に適用可能である。
【０２０８】
本発明の実施例に係るＰＵＣＣＨフォーマットにアラマウティ方法を単純に適用すると、アンテナ（ポート）１のＳＣ−ＦＤＭＡシンボルにマッピングされるＤＦＴシンボルの順序が、２個のＤＦＴシンボル単位に取り替えられる。例えば、アンテナ（ポート）０のＳＣ−ＦＤＭＡシンボルには、ｄ＿０，ｄ＿１，ｄ＿２，ｄ＿３がマッピングされるのに対し、アンテナ（ポート）１のＳＣ−ＦＤＭＡシンボルには−ｄ＿１*，ｄ＿０*，−ｄ＿３*，ｄ＿２*がマッピングされる。そのため、アンテナ（ポート）１にマッピングされる信号の単一搬送波特性が崩れ、アンテナ（ポート）１でＣＭが増加するという問題が生じる。
【０２０９】
図４３Ｂ及び図４３Ｂを参照して、アラマウティ方法を適用する場合にもＣＭ増加を招かない多重アンテナコーディング方案をさらに説明する。便宜上、図４３Ｂ及び図４３Ｂは、図４３の信号処理手順において拡散過程から示す。
【０２１０】
図４３Ｂ及び図４３Ｂを参照すると、制御情報をアンテナ（ポート）０にマッピングする時は、ＤＦＴプリコーディング後に複素信号をそのまま副搬送波にマッピングする。一方、制御情報をアンテナ（ポート）１にマッピングする時は、（１）ＳＣ−ＦＤＭＡシンボル内の副搬送波に逆順序でマッピング、（２）複素共役演算（ｃｏｍｐｌｅｘ  ｃｏｎｊｕｇａｔｅ  ｏｐｅｒａｔｉｏｎ）、（３）交互にマイナス符号（ａｌｔｅｒｎａｔｉｖｅ  ｍｉｎｕｓ  ｓｉｇｎ）付加、を行う。（１）〜（３）の順序は例示的なものであり、これらの順序は互いに変更可能である。本方案は、明細書全般にわたって同一の方法で適用可能である。例えば、図２９または図３０を参照すると、第１のアンテナ（ポート）及び第２のアンテナ（ポート）を通じて伝送されるＳＣ−ＦＤＭＡシンボルにマッピングされる複素シンボル列は、下記のように与えることができる。
【０２１１】
【数１１】
0005890391.tif 000066
【０２１２】
【表５５】
0005890391.tif 000067
【０２１３】
数学式１２は、複素信号がＳＣ−ＦＤＭＡシンボル内の副搬送波に全てマッピングされる場合を想定する。図３１〜図３４のように周波数因子が用いられる場合を考慮すると、数学式１１は下記のように一般化可能である。
【０２１４】
【数１２】
0005890391.tif 000068
【０２１５】
【表５６】
0005890391.tif 000069
【０２１６】
また、第１のアンテナ（ポート）または第２のアンテナ（ポート）のＳＣ−ＦＤＭＡシンボルにマッピングされる複素シンボル列は、周波数方向に巡回シフト（例、複素シンボル列長の半分だけシフト）されてもよい。表１９〜表２１は、本実施例によってアラマウティ方法を適用した場合を例示する。
【０２１７】
【表５７】
0005890391.tif 000070
【０２１８】
【表５８】
0005890391.tif 000071
【０２１９】
【表５９】
0005890391.tif 000072
【０２２０】
実施例３
【０２２１】
図４３には、本実施例に係るＰＵＣＣＨフォーマットの構造及びそのための信号処理手順を例示する。全体的な流れは、実施例１及び２で図２９〜図４３を参照して説明したのと類似しているので、主な相違点であるＣＡＺＡＣ変調器について説明する。
【０２２２】
図４３を参照すると、ＣＡＺＡＣ変調器は、該当のスロットに分周された変調シンボル（［ｃ＿０，ｃ＿１，…，ｃ＿Ｌ／２−１］と［ｃ＿Ｌ／２，ｃ＿Ｌ／２＋１，…，ｃ＿Ｌ−１］）を該当のシーケンスに変調して、ＣＡＺＡＣ変調シンボル（［ｄ＿０，ｄ＿１，…，ｄ＿Ｌ／２−１］と［ｄ＿Ｌ／２、ｄ＿Ｌ／２＋１，…，ｄ＿Ｌ−１］）を生成する。ＣＡＺＡＣ変調器は、例えば、ＣＡＺＡＣシーケンスあるいはＬＴＥ ＣＧ（Ｃｏｍｐｕｔｅｒ  Ｇｅｎｅｒａｔｅｄ）１ ＲＢ用シーケンスを含む。例えば、ＬＴＥ ＣＧシーケンスをｒ＿０，…，ｒ＿Ｌ／２−１とすれば、ＣＡＺＡＣ変調シンボルはｄ＿ｎ＝ｃ＿ｎ＊ｒ＿ｎあるいはｄ＿ｎ＝ｃｏｎｊ（ｃ＿ｎ）＊ｒ＿ｎを意味することができる。同図では、スロット−レベルでジョイントコーディングした場合が例示されているが、本発明は、スロット別セパレートコーディング（ｓｅｐａｒａｔｅ  ｃｏｄｉｎｇ）、スロットレベル反復、周波数因子を適用する場合も同一に適用可能である。この例では、基本シーケンスの役割を有するＣＡＺＡＣやＣＧシーケンスが、既にセル−特定（ｃｅｌｌ−ｓｐｅｃｉｆｉｃ）であるので、セル−特定スクランブルを省略することができる。あるいは、さらなるランダム化のために端末−特定スクランブルのみを適用することもできる。リソース割当方法やＲＳインデックスとの関係、シグナリング方法、伝送ダイバーシティは、上述の実施例で言及した方法を用いればよい。
【０２２３】
実施例４
【０２２４】
既存ＬＴＥではＳＲ（Ｓｃｈｅｄｕｌｉｎｇ  Ｒｅｑｕｅｓｔ）のための直交リソースが端末にＲＲＣシグナリングを通じて構成される。ＳＲ伝送イベントが発生すると、端末は、あらかじめシグナリングされた直交リソースを用いてＳＲ信号を伝送する。
【０２２５】
表２２には、ＳＲ伝送周期及びサブフレームオフセット構成を例示する。
【０２２６】
【表６０】
0005890391.tif 000073
【０２２７】
表２２を参照すると、ＳＲを伝送できる区間は周期的に設定されるため、ＳＲとＡＣＫ／ＮＡＣＫを同じサブフレーム／スロット内で伝送しなければならない場合が発生する。
【０２２８】
もし、ＳＲ伝送イベントとＡＣＫ／ＮＡＣＫ伝送イベントが同じサブフレーム（またはスロット）で発生すると、既存ＬＴＥ端末は、ＳＲのために割り当てられた直交リソースを用いてＡＣＫ／ＮＡＣＫを伝送する。基地局は、同時伝送イベントが生じうるということを認知しているため、ＳＲのための直交リソースとＡＣＫ／ＮＡＣＫのための直交リソースの両方をデコーディングし、ＳＲとＡＣＫ／ＮＡＣＫが共に伝送されたか、あるいはＳＲなしでＡＣＫ／ＮＡＣＫのみ伝送されたかを認知できる。
【０２２９】
本実施例は、新規ＰＵＣＣＨフォーマットとＳＲを同時に伝送する方案を説明する。ここで、新規ＰＵＣＣＨフォーマットは、実施例１〜３で提案したＰＵＣＣＨフォーマットに制限されず、チャネルコーディングを用いるいかなるＰＵＣＣＨフォーマットも含む（例えば、ＰＵＣＣＨフォーマット２／２ａ／２ｂ構造を通じてチャネルコーディングされたＡＣＫ／ＮＡＣＫを伝送する場合）。
【０２３０】
あるいは、他の形態の新規ＰＵＣＣＨフォーマットを含む。以下の説明は一般に下記の場合を含む。
−  第１のＵＣＩ（例、ＡＣＫ／ＮＡＣＫ、ＳＲ、ＣＱＩ、ＰＭＩ、ＲＩ、ＣＳＩ、またはこれらの任意の組み合わせ）が新規ＰＵＣＣＨフォーマットで伝送され、第２のＵＣＩが同じサブフレームで伝送される場合。第２のＵＣＩの伝送は特定のＰＵＣＣＨフォーマットに制限されないが、特にＬＴＥ ＰＵＣＣＨフォーマットを用いて伝送されるように予定された場合でよい。
【０２３１】
以下の例は、第１のＵＣＩがＤＬ ＣＣのためのＡＣＫ／ＮＡＣＫであり、第２のＵＣＩがＬＴＥ ＰＵＣＣＨフォーマットを用いて伝送されるように予定されたＳＲである場合を中心に説明する。ＡＣＫ／ＮＡＣＫは、複数のＤＬ ＣＣに対する多重ＡＣＫ／ＮＡＣＫを含むことができる。ここで説明する第１のＵＣＩ及び第２のＵＣＩの同時伝送方案は、特別な言及がない限り、明細書全般に適用される。
【０２３２】
前述したように、ＳＲ伝送イベントとＡＣＫ／ＮＡＣＫ伝送イベントが同時（例、同じサブフレーム／スロット）に発生することがある。ＳＲリソースは端末特定（ＵＥ  ｓｐｅｃｉｆｉｃ）し、ＡＣＫ／ＮＡＣＫはＣＣ−特定（ＣＣ−ｓｐｅｃｉｆｉｃ）するので、ＳＲリソースを通じてＡＣＫ／ＮＡＣＫを伝送することは不可能である。そこで、本発明は、このような問題を解決するために、次のようにすることを提案する。端末がＳＲを伝送できるサブフレーム／スロットで（多重）ＡＣＫ／ＮＡＣＫを伝送しなければならない場合に、１ビットのＳＲ情報を（多重）ＡＣＫ／ＮＡＣＫに埋め込み（ｅｍｂｅｄｄｅｄ）した後にジョイントコーディングを経て伝送することができる。新規ＰＵＣＣＨフォーマットのためのリソースは、暗黙的（ｉｍｐｌｉｃｉｔ）（例、ＰＤＣＣＨのＣＣＥインデックスとリンク）あるいは明示的（ｅｘｐｌｉｃｉｔ）（例、ＲＲＣシグナリング）に設定可能である。また、１ビット埋め込み（ｅｍｂｅｄｄｉｎｇ）のために、情報ビットフィールドをさらに定義したり、元来情報の状態をさらに用いたりできる。
【０２３３】
図２９を参照してより具体的に例示する。図２９は、１２ビットの制御情報（５個のＤＬ ＣＣに対するＡＣＫ／ＮＡＣＫ及びＤＴＸ）をチャネルコーディングして４８ビットのコーディングビットを生成した後に、ＱＰＳＫ変調を行う。ＳＲ伝送サブフレームとＡＣＫ／ＮＡＣＫ伝送サブフレームとが重なる場合に、１３ビットの制御情報（５個のＤＬ ＣＣに対するＡＣＫ／ＮＡＣＫ、ＤＴＸ、及びＳＲ）をチャネルコーディングして４８ビットのコーディングビットを生成した後にＱＰＳＫ変調を行うことができる。ＳＲのための１ビットについて、０の場合は、ＳＲイベントがない旨を表し、１の場合は、ＳＲイベントが存在する旨を表すことができる（あるいは、ＳＲのための１ビットが１の場合にＳＲイベントがない旨を表し、０の場合にＳＲイベントが存在する旨を表してもよい。）。ＳＲのためのビットの位置は、当該ビットがＳＲであるということを知らせるために、情報ビットストリームであらかじめ定義することができる（例、ビットストリームの最初／最後のビット）。
【０２３４】
ＳＲ伝送イベント（第１のＵＣＩ）とＡＣＫ／ＮＡＣＫ伝送イベント（第２のＵＣＩ）とが重なる場合における問題を解決するための他の方案を提案する。ＳＲ伝送イベントとＡＣＫ／ＮＡＣＫ伝送イベントとが重なる場合に、（多重）ＡＣＫ／ＮＡＣＫ情報を論理ＡＮＤ演算を通じて一つの情報としてバンドリングできる。バンドリングされたＡＣＫ／ＮＡＣＫ情報はＳＲリソースを通じて伝送することができる。そのため、端末は、普通の場合に、新規ＰＵＣＣＨフォーマットを用いてＵＣＩ（例、ＡＣＫ／ＮＡＣＫ）をフィードバックし、ＳＲ伝送イベントとＡＣＫ／ＮＡＣＫ伝送イベントとが重なる場合は、ＳＲリソースを用いて、バンドリングされたＡＣＫ／ＮＡＣＫ情報を伝送する。バンドリングにより、端末は、ＤＬ ＣＣに相応するＡＣＫ／ＮＡＣＫ情報がいずれもＡＣＫであればＡＣＫを伝送し、ＡＣＫ／ＮＡＣＫ情報に一つでもＮＡＣＫがあるとＮＡＣＫを伝送する。同様に、端末は、ＤＬ ＣＣのためのＡＣＫ／ＮＡＣＫ情報のいずれか一つでもＤＴＸが発生するとＤＴＸを伝送することができる。
【０２３５】
図４４は、ＳＲ伝送イベント（第１のＵＣＩ）とＡＣＫ／ＮＡＣＫ伝送イベント（第２のＵＣＩ）とが重なる場合における問題を解決するためのさらに他の方案を提案する。
【０２３６】
図４４を参照すると、新規ＰＵＣＣＨフォーマットにＲＳシンボルが２つ以上あれば、少なくともいずれか一方のＲＳシンボル（位置は構わない）に位相変調を行うことができる。この時、少なくともいずれか他方のＲＳシンボルには位相変調を行ってはならない（１を変調することと等価）。ＳＲ情報は、送るべきものの有り無しによって１ビットで表現であるため、伝送するＳＲがない時には位相変調を行わずに（すなわち、１を変調）、伝送するＳＲがある時には位相変調を行うことができる（例、−１を変調）。もし、第１のＵＣＩがＭ−ビットであれば、２M−ＰＳＫあるいは２M−ＱＡＭで変調を行うことができ、ＵＣＩビットと複素変調値との関係はあらかじめ指定しておくことができる。
【０２３７】
また、第１のＵＣＩ及び第２のＵＣＩの伝送が同じサブフレームで発生する場合に、端末は、ＵＣＩの優先順位に基づいて特定ＵＣＩの伝送を行わなくてもよい（すなわち、ＵＣＩ伝送をドロップしてもよい）。例えば、第１のＵＣＩが新規ＰＵＣＣＨフォーマットを通じて伝送される（多重）ＡＣＫ／ＮＡＣＫであり、第２のＵＣＩがＰＵＣＣＨフォーマット２を通じて伝送されるＣＱＩ情報であるとする。この場合、ＡＣＫ／ＮＡＣＫがＣＱＩよりも優先順位が高いと、第２のＵＣＩであるＣＱＩの伝送をドロップすることができる。これに制限されるものではないが、ＵＣＩの優先順位は、ＳＲ＞ＡＣＫ／ＮＡＣＫ＞ＲＩ＞ＣＱＩ／ＰＭＩでよい。
【０２３８】
さらに他の方案として、第１のＵＣＩ及び第２のＵＣＩを一つのＰＵＣＣＨフォーマットに埋め込ませることができる。例えば、ＰＵＣＣＨフォーマットＡを用いて伝送する第１のＵＣＩとＰＵＣＣＨフォーマットＢを用いて伝送する第２のＵＣＩとが同じサブフレームで伝送しなければならない場合に、第１のＵＣＩ及び第２のＵＣＩをいずれか一つのＰＵＣＣＨフォーマットを通じて伝送することができる。この時、第１のＵＣＩ及び第２のＵＣＩは、ＵＣＩ別にセパレートコーディングされてもよく、ジョイントコーディングされてもよい。
【０２３９】
例えば、下記のように仮定する。
【０２４０】
−  ＰＵＣＣＨフォーマットＡ：新規ＰＵＣＣＨフォーマットであり、多重ＤＬ ＣＣに対する５−ビット多重ＡＣＫ／ＮＡＣＫ（第１のＵＣＩ）を伝送するのに用いられる。
【０２４１】
−  ＰＵＣＣＨフォーマットＢ：ＬＴＥ ＰＵＣＣＨフォーマット２であり、５−ビットＣＱＩ情報（第２のＵＣＩ）を伝送するのに用いられる。
【０２４２】
第１のＵＣＩ及び第２のＵＣＩの同時伝送イベントが発生すると、第１のＵＣＩ及び第２のＵＣＩ（総１０ビット情報）をジョイントコーディングした後に、ＰＵＣＣＨフォーマットＡを通じて伝送することができる。
【０２４３】
実施例５
【０２４４】
ＳＲＳが伝送されるように設定されたサブフレームで新規ＰＵＣＣＨフォーマット伝送イベントが発生した場合における処理方案について説明する。新規ＰＵＣＣＨフォーマットは、実施例１〜３の新規ＰＵＣＣＨフォーマット及び他の形態の新規ＰＵＣＣＨフォーマットを含み、ＡＣＫ／ＮＡＣＫ、ＳＲ、ＣＱＩ、ＰＭＩ、ＲＩ、ＣＳＩ、またはこれらの任意の組み合わせを伝送するのに用いられるものでよい。便宜上、新規ＰＵＣＣＨフォーマットがＡＣＫ／ＮＡＣＫ関連ＵＣＩを伝送するのに用いられると仮定する。
【０２４５】
表２３及び表２４はそれぞれ、ＬＴＥに定義されたＳＲＳ伝送のためのセル−特定ＳＲＳ伝送パラメータと端末−特定ＳＲＳ伝送パラメータを表す。
【０２４６】
【表６１】
0005890391.tif 000074
【０２４７】
【表６２】
0005890391.tif 000075
【０２４８】
【表６３】
0005890391.tif 000076
【０２４９】
ＳＲＳ構成インデックス（ＩSRS）は、端末別にシグナリングされ、各端末は、ＩSRSを用いてＳＲＳ伝送周期（ＴSRS）とＳＲＳサブフレームオフセット（Ｔoffset）を確認する。
【０２５０】
セル−特定ＳＲＳ伝送パラメータは、セル内でＳＲＳ伝送のために占有されたサブフレームを端末に知らせ、端末−特定ＳＲＳ伝送パラメータは、ＳＲＳのために占有されたサブフレームのうち、当該端末が実際に用いるサブフレームを知らせる。その後、端末は、端末−特定ＳＲＳ伝送パラメータで指定されたサブフレーム（端末−特定ＳＲＳ伝送サブフレーム）の特定シンボル（例、最後のシンボル）を通じてＳＲＳを伝送する。一方、セル−特定ＳＲＳ伝送パラメータによって占有されたサブフレーム（セル−特定ＳＲＳ伝送サブフレーム）でＳＲＳ伝送を保護するために、端末は、当該サブフレームで実際にＳＲＳを伝送するか否かにかかわらずにサブフレームの最後のシンボルを通じてアップリンク信号を伝送しなくてもよい。
【０２５１】
ＳＲＳが伝送されるように設定されたサブフレームで新規ＰＵＣＣＨフォーマット伝送イベントが発生した場合に、次の処理方案を考慮することができる。ここで、ＳＲＳが伝送されるように設定されたサブフレームは、セル−特定ＳＲＳ伝送サブフレームまたは端末−特定ＳＲＳ伝送サブフレームを含む。
【０２５２】
方案１：新規ＰＵＣＣＨフォーマットでサブフレーム内の最後のＳＣ−ＦＤＭＡシンボルをパンクチャリングすることができる（すなわち、ｓｈｏｒｔｅｎｅｄ ｎｅｗ ＰＵＣＣＨ ｆｏｒｍａｔ）。この場合、パンクチャリング後に残されるＳＣ−ＦＤＭＡシンボルの個数に合わせてＯＣＣ（Ｏｒｔｈｏｇｏｎａｌ  Ｃｏｖｅｒ  Ｃｏｄｅ）（または、Ｏｒｔｈｏｇｏｎａｌ  Ｃｏｄｅ、０Ｃ）長さを調節することができる。
【０２５３】
方案２：ＳＲＳシンボルをドロップすることができる。すなわち、端末は、新規ＰＵＣＣＨフォーマット及びＳＲＳの同時伝送状況が発生すると、新規ＰＵＣＣＨフォーマットをそのまま伝送し（すなわち、ｎｏｒｍａｌ ｎｅｗ ＰＵＣＣＨ ｆｏｒｍａｔ）、ＳＲＳ伝送をしない。
【０２５４】
図４５及び図４６は、新規ＰＵＣＣＨフォーマットがＬＴＥのＰＵＣＣＨフォーマット１ａ／１ｂのＲＳシンボル構造を用いる場合に、方案１に従う信号伝送を例示する。同図で、横軸は時間ドメイン（例、シンボルインデックス）を表し、縦軸は周波数ドメイン（例、ＲＢインデックス）に相当する。同図は、標準ＣＰが用いられた場合を例示するが、本例は、拡張ＣＰが用いられる場合にも同一に適用される。同図で、新規ＰＵＣＣＨフォーマットは、例えば、図２９及び図３０により生成されるものでよい。理解を助けるために、以下の図面で、スロットレベルのＰＵＣＣＨ構造は、同じ周波数リソース（例、同じＰＲＢ）を用いるとするが、これは例示に過ぎず、図２９及び図３０に例示した通り、スロットレベルのＰＵＣＣＨ構造はスロットを境界に周波数領域でホッピング可能である。
【０２５５】
図４５は、新規ＰＵＣＣＨフォーマットのみが伝送される状況を示す。図４５を参照すると、それぞれのスロットにおいて、ＲＳシンボルは、長さ３のＯＣＣ（例、ＤＦＴコード）を用いて拡散され、ＵＣＩシンボルは、長さ４のＯＣＣ（例、ウォルシュコード）を用いて拡散される。スロット間に周波数ホッピングが行われるとよい。
【０２５６】
図４６は、新規ＰＵＣＣＨフォーマット及びＳＲＳの同時伝送を支援するための方案を示す。同図で、ＳＲＳは、ＳＲＳ伝送位置を表す。ＳＲＳ伝送位置では、当該端末のＳＲＳが実際に用いられたり、他の端末のＳＲＳ伝送を保護するために当該端末の信号伝送が制限されたりすることがある。図４６を参照すると、スロット０の構造は、図４５と同一である。一方、スロット１における最後のＳＣ−ＦＤＭＡシンボルは、ＳＲＳ伝送のためにパンクチャリングされる。パンクチャリングは２種類の方式で具現可能である。その第一は、新規ＰＵＣＣＨフォーマットの最後のＳＣ−ＦＤＭＡシンボルまで制御情報を全てマッピングした状態で、ＳＲＳ同時伝送が要求されると、最後のＳＣ−ＦＤＭＡシンボルの伝送をドロップすることができる。ＳＣ−ＦＤＭＡシンボルの伝送をドロップすることは、実際に伝送を行わないことによって、または、当該ＳＣ−ＦＤＭＡシンボルに０を再マッピングすることによって具現することができる。第二は、端末は、新規ＰＵＣＣＨフォーマット及びＳＲＳの同時伝送が要求されると、サブフレームの最後のＳＣ−ＦＤＭＡシンボルが含まれない短い新規ＰＵＣＣＨフォーマット（すなわち、ｓｈｏｒｔｅｎｅｄ ｎｅｗ ＰＵＣＣＨ ｆｏｒｍａｔ）に合わせて制御情報をレートマッチングした後に、リソースマッピングを行うことができる。すなわち、最後のＳＣ−ＦＤＭＡシンボルのパンクチャリングは、リソースマッピング後にレートマッチングにより、あるいは、レートマッチング後にリソースマッピングにより行うことができる。
【０２５７】
図４６を参照すると、パンクチャリング後に、スロット１においてＲＳシンボルの個数は３個と変わりないが、ＵＣＩシンボルの個数は４個から３個と減少する。そのため、スロット１において、ＵＣＩシンボルに適用されるＯＣＣは、長さ４から３と変換する。
【０２５８】
表２５には、各スロットのＵＣＩシンボルのためのＯＣＣセットを例示する。
【０２５９】
【表６４】
0005890391.tif 000077
【０２６０】
ＯＣＣインデックス（ｍ）を、スロットごとに独立して決定することができる。
【０２６１】
短い新規ＰＵＣＣＨフォーマットは、上位層（例、ＲＲＣ）シグナリングを通じて構成することができる。例えば、短い新規ＰＵＣＣＨフォーマットの構成情報／使用の有無などを上位層（例、ＲＲＣ）シグナリングにより指示することができる。一方、短い新規ＰＵＣＣＨフォーマットのためのシグナリングを、既存ＬＴＥのＰＵＣＣＨフォーマット１／１ａ／１ｂのための上位層シグナリングと束ねることで、シグナリングオーバーヘッドの増加無しで短い新規ＰＵＣＣＨフォーマットを構成することができる。
【０２６２】
図４７Ａ及び図４７Ｂには、新規ＰＵＣＣＨフォーマットがＬＴＥのＰＵＣＣＨフォーマット２ａ／２ｂのＲＳシンボル構造を用いる場合に、方案１に従う信号伝送を例示する。本例は、標準ＣＰ（ｃｙｃｌｉｃ  ｐｒｅｆｉｘ）が用いられた場合を示す。同図で、新規ＰＵＣＣＨフォーマットは、例えば、図２９及び図３０により生成されるものでよい。
【０２６３】
図４７Ａは、新規ＰＵＣＣＨフォーマットのみが伝送される状況を示す。図４７Ａを参照すると、それぞれのスロットにおいて、ＲＳシンボルは、長さ２のＯＣＣ（例、ウォルシュコード）を用いて拡散され、ＵＣＩシンボルは、長さ５のＯＣＣ（例、ＤＦＴコード）を用いて拡散される。スロット間に周波数ホッピングが行われるとよい。図４７Ｂは、新規ＰＵＣＣＨフォーマット及びＳＲＳが同時伝送される状況を示す。図４７Ｂを参照すると、スロット０の構造は、図４７Ａと同一である。一方、スロット１における最後のＳＣ−ＦＤＭＡシンボルをＳＲＳ伝送のためにパンクチャリングする。パンクチャリング後に、スロット１においてＲＳシンボルの個数は２個と変わりないが、ＵＣＩシンボルの個数は５個から４個と減少する。そのため、スロット１において、ＵＣＩシンボルに適用されるＯＣＣは、長さ５から４に変換する。
【０２６４】
図４８Ａ及び図４８Ｂは、新規ＰＵＣＣＨフォーマットがＬＴＥのＰＵＣＣＨフォーマット２ａ／２ｂのＲＳシンボル構造を用いる場合に、方案１に従う信号伝送の他の例を示す。図４８Ａ及び図４８Ｂは、拡張ＣＰが用いられた点以外は、基本的に、図４７Ａ及び図４７Ｂにおけると同一である。
【０２６５】
表２６は、図４７Ａ及び図４８ＡにおいてＵＣＩシンボルのためのコードセットを例示し、表２７は、図４７Ｂ及び図４８ＢにおいてＵＣＩシンボルのためのコードセットを例示する。
【０２６６】
【表６５】
0005890391.tif 000078
【０２６７】
ＯＣＣインデックス（ｍ）は、スロットごとに独立して決定することができる。
【０２６８】
【表６６】
0005890391.tif 000079
【０２６９】
ＯＣＣインデックス（ｍ）は、スロットごとに独立して決定することができる。
【０２７０】
実施例６
【０２７１】
ＰＵＣＣＨフォーマット２を活用してより多量のＵＣＩを伝送する方案について説明する。便宜上、ＰＵＣＣＨフォーマット２を活用して（多重）ＡＣＫ／ＮＡＣＫ関連ＵＣＩを伝送する方案について説明する。ＡＣＫ／ＮＡＣＫ関連ＵＣＩとしては、（多重）ＡＣＫ／ＮＡＣＫ、ＡＣＫ／ＮＡＣＫ＋他のＵＣＩを含む。ここで、他のＵＣＩとしては、ＳＲ、ＣＱＩ、ＰＭＩ、ＲＩまたはこれらの組み合わせを含む。
【０２７２】
図４９には、本実施例によってＰＵＣＣＨフォーマット２を用いたＵＣＩ伝送例を示す。同図は、標準ＣＰの場合におけるＰＵＣＣＨフォーマットを示す。図４９を参照すると、一つのサブフレームは、ＲＳシンボルの他、１０個のＵＣＩシンボルから構成される。それぞれのＵＣＩシンボルには、周波数ドメインで拡散された変調値がマッピングされる。ＵＣＩシンボルにマッピングされる変調値は、これに制限されるものではないが、ＣＡＺＡＣシーケンス、ＣＧ−ＣＡＺＡＣシーケンスにより周波数ドメインで拡散されるとよく、それぞれのシーケンスには巡回シフト（ＣＳ）が適用されるとよい。ＳＣ−ＦＤＭＡシンボルレベルＣＳホッピングを、インターセル干渉をランダム化するために適用することができる。また、巡回シフトを用いてＣＤＭによってＲＳを多重化することができる。例えば、可用ＣＳの個数を１２または６とすれば、同じＰＲＢ内にそれぞれ１２または６個の端末を多重化できる。
【０２７３】
上述したＰＵＣＣＨフォーマットの信号処理についてより具体的に説明する。ＰＵＣＣＨフォーマットのための信号処理部は、チャネルコーディングブロック、変調器、分周器、周波数ドメイン拡散ブロックを全て備えることもでき、それらの一部を備えることもできる。
【０２７４】
チャネルコーディングブロックは、情報ビットａ（０），ａ（１），…，ａ（Ｍ−１）（例、多重ＡＣＫ／ＮＡＣＫビット）をチャネルコーディングして、コーディングビット（ｅｎｃｏｄｅｄ  ｂｉｔ，ｃｏｄｅｄ  ｂｉｔ  ｏｒ  ｃｏｄｉｎｇ  ｂｉｔ）（またはコードワード）ｂ（０），ｂ（１），…，ｂ（Ｎ−１）を生成する。Ｍは、情報ビットのサイズを表し、Ｎは、コーディングビットのサイズを表す。情報ビットは、アップリンク制御情報（ＵＣＩ）、例えば、複数のＤＬ ＣＣを通じて受信した複数のデータ（または、ＰＤＳＣＨ）に対する多重ＡＣＫ／ＮＡＣＫを含む。ここで、情報ビットａ（０），ａ（１），…，ａ（Ｍ−１）は、情報ビットを構成するＵＣＩの種類／個数／サイズにかかわらずにジョイントコーディングされる。例えば、情報ビットが複数のＤＬ ＣＣに対する多重ＡＣＫ／ＮＡＣＫを含む場合に、チャネルコーディングは、ＤＬ ＣＣ別、個別ＡＣＫ／ＮＡＣＫビット別に行われずに、全体ビット情報を対象にして行われ、これにより単一コードワードが生成される。チャネルコーディングとしては、これに制限されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）あるいはターボ・コーディングを含む。図示してはいないが、コーディングビットは、変調次数とリソース量を考慮してレートマッチング（ｒａｔｅ−ｍａｔｃｈｉｎｇ）されるとよい。レートマッチング機能は、チャネルコーディングブロックの一部として備えられてもよく、別の機能ブロックによって行われてもよい。
【０２７５】
変調器は、コーディングビットｂ（０），ｂ（１），…，ｂ（Ｎ−１）を変調して変調シンボルｄ（０），ｄ（１），…，ｄ（Ｌ−１）を生成する。Ｌは、変調シンボルのサイズを表す。変調は、伝送信号のサイズ及び位相を変形することによって行われる。変調方法としては、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは２以上の整数）。具体的に、変調方法としては、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを含むことができる。
【０２７６】
分周器（ｄｉｖｉｄｅｒ）は、変調シンボルｄ（０），ｄ（１），…，ｄ（Ｌ−１）を、各ＳＣ−ＦＤＭＡシンボルに分周する。変調シンボルを各ＳＣ−ＦＤＭＡシンボルに分周する順序／パターン／方式は特別に制限されない。例えば、分周器は、変調シンボルを前から順にそれぞれのＳＣ−ＦＤＭＡシンボルに分周することができる（ローカル型方式）。この場合、変調シンボルｄ（０），ｄ（１），…，ｄ（Ｌ−１）は、図示のように、サブフレームの最初のＳＣ−ＦＤＭＡシンボルから順次にマッピングされる。ＰＵＣＣＨフォーマット２のＲＳシンボル構造を用いる場合に、Ｌは１０である。また、変調シンボルはそれぞれのＳＣ−ＦＤＭＡシンボルに分周する際にインターリービング（またはパーミュテーション）されてもよい。例えば、偶数番目の変調シンボルはスロット０のＳＣ−ＦＤＭＡシンボルに分周され、奇数番目の変調シンボルはスロット１のＳＣ−ＦＤＭＡシンボルに分周される。変調過程と分周過程は互いに入れ替えてもよい。
【０２７７】
周波数ドメイン拡散ブロックは、ＳＣ−ＦＤＭＡシンボルに分周されたそれぞれの変調シンボルを、周波数ドメイン拡散のためのシーケンスと掛ける。周波数拡散のためのシーケンスとしてはＣＡＺＡＣ、ＣＧ−ＣＡＺＡＣシーケンスを含み、多重化のために巡回シフトを適用することができる。上の過程を経て生成された信号は、ＰＲＢ内の副搬送波にマッピングされた後に、ＩＦＦＴを経て時間ドメイン信号に変換される。時間ドメイン信号にはＣＰが付加され、生成されたＳＣ−ＦＤＭＡシンボルは、ＲＦ端を通じて伝送される。
【０２７８】
一方、ＳＲＳが伝送されるように設定されたサブフレームにおいてＰＵＣＣＨフォーマット２伝送イベントが発生した場合に、次の処理方案を考慮することができる。
【０２７９】
方案１：ＰＵＣＣＨフォーマット２においてサブフレーム内の最後のＳＣ−ＦＤＭＡシンボルをパンクチャリングすることができる（すなわち、ｓｈｏｒｔｅｎｅｄ ＰＵＣＣＨ ｆｏｒｍａｔ ２）。
【０２８０】
方案２：ＳＲＳシンボルをドロップすることができる。すなわち、端末は、ＰＵＣＣＨフォーマット２及びＳＲＳの同時伝送状況が発生すると、ＰＵＣＣＨフォーマット２をそのまま伝送し（すなわち、ｎｏｒｍａｌ ＰＵＣＣＨ ｆｏｒｍａｔ ２）、ＳＲＳ伝送をしない。
【０２８１】
図５０〜図５４を参照して、方案１についてより具体的に例示する。方案１は、ＰＵＣＣＨフォーマット２がＡＣＫ／ＮＡＣＫ関連ＵＣＩを伝送する場合に限定することができる。
【０２８２】
図５０及び図５１は、ＰＵＣＣＨフォーマット２とＳＲＳとの同時伝送状況が発生した場合に、サブフレームの最後のＳＣ−ＦＤＭＡシンボルをパンクチャリングすることを例示する。図５０は、標準ＣＰが用いられた場合を示し、図５１は、拡張ＣＰが用いられた場合を示す。
【０２８３】
図５０及び図５１を参照すると、ＰＵＣＣＨフォーマット２は、ＳＲＳ伝送を支援するために、ｄ（９）成分がパンクチャリング（ＱＰＳＫ変調が用いられた場合に、２個のコーディングビットがパンクチャリングされたものと等価）される（ｓｈｏｒｔｅｎｅｄ ＰＵＣＣＨ ｆｏｒｍａｔ）。この場合、ＲＳシンボルの個数／位置は普通のＰＵＣＣＨフォーマット２と同一に維持される。
【０２８４】
パンクチャリングは、２種類の方式で具現可能である。その第一は、ＰＵＣＣＨフォーマット２の最後のＳＣ−ＦＤＭＡシンボルまで全て制御情報をマッピングした状態で、ＳＲＳ同時伝送が要求されると、最後のＳＣ−ＦＤＭＡシンボルの伝送をドロップすることができる。ＳＣ−ＦＤＭＡシンボルの伝送をドロップすることは、実際に伝送を行わないことによって、あるいは、当該ＳＣ−ＦＤＭＡシンボルに０を再マッピングすることによって具現可能である。その第二は、端末はＰＵＣＣＨフォーマット２とＳＲＳとの同時伝送が要求されると、サブフレームの最後のＳＣ−ＦＤＭＡシンボルが含まれないＰＵＣＣＨフォーマット（すなわち、ｓｈｏｒｔｅｎｅｄ ＰＵＣＣＨ ｆｏｒｍａｔ ２）に合わせて制御情報をレートマッチングした後にリソースマッピングを行うことができる。すなわち、最後のＳＣ−ＦＤＭＡシンボルのパンクチャリングは、リソースマッピング後にレートマッチング、あるいは、レートマッチング後にリソースマッピングにより行うことができる。
【０２８５】
図５２は、ｄ（９）をパンクチャリングすることを、ＲＭ（２０，０）テーブルを用いて例示した図である。本例は、レートマッチング後にリソースマッピングする場合を例示する。ｄ（９）がコーディングワードの最後の２ビットに対応すると仮定する場合に、ＲＭ（２０，Ｏ）テーブルにおいて第１８行及び第１９行をパンクチャリングすることでｄ（９）をパンクチャリングすることができる。便宜上、図５２の例は、ＱＰＳＫ変調を仮定した場合であり、コーディング方法または変調方式によってパンクチャリング具現方法は異なってくることがある。
【０２８６】
図５３〜図５５は、ＰＵＣＣＨフォーマット２とＳＲＳを同時伝送する他の方案を例示する。図５１及び図５２の方案は、パンクチャリングによるコーディングシンボルの損失からシステム性能が劣化することがある。そこで、本方案は、コーディングシンボルのパンクチャリングによる性能劣化を防止するために、２番目のスロットにおいてＲＳシンボルの個数を１個減らすことを提案する。変形されたＰＵＣＣＨフォーマットにおいて残されたＲＳシンボルは任意の位置に移動可能である。
【０２８７】
図５３を参照すると、サブフレームにおいて既存ＲＳシンボルの位置は変形させず、スロット１において２番目のＲＳシンボルをｄ（９）に代えることができる。図５４を参照すると、スロット０では、既存ＲＳシンボルの位置を変形させず、スロット１では、チャネル推定を最適化させるためにＲＳシンボルの位置を変形させることができる。同図は、スロット１において最初のＲＳシンボルの位置を、既存のＲＳシンボル構造と比較して、１シンボルだけ右に移動させた場合を示す。図５５を参照すると、スロット０では標準ＣＰのためのＲＳシンボル構造を用い、スロット１では、最後のＳＲＳ伝送シンボル以外は、拡張ＣＰのためのＲＳシンボル構造を用いる。
【０２８８】
短いＰＵＣＣＨフォーマット２は、上位層（例、ＲＲＣ）シグナリングを通じて構成可能である。例えば、短いＰＵＣＣＨフォーマット２の構成情報／使用の有無などが上位層（例、ＲＲＣ）シグナリングによって指示されるとよい。一方、短いＰＵＣＣＨフォーマット２のためのシグナリングを既存ＬＴＥのＰＵＣＣＨフォーマット１／１ａ／１ｂのための上位層シグナリングと束ねることで、シグナリングオーバーヘッドの増加無しで短いＰＵＣＣＨフォーマット２を構成することができる。
【０２８９】
上述した内容は、ＰＵＣＣＨフォーマット２に基づくＭＳＭ（Ｍｕｌｔｉ−Ｓｅｑｕｅｎｃｅ  ｍｏｄｕｌａｔｉｏｎ）にも容易に拡張可能である。ＭＳＭは、Ｎ個のＰＵＣＣＨリソースを割り当てられ、それぞれのリソースに変調（例、ＱＰＳＫ、８ＰＳＫ、Ｍ−ａｒｙ  ＱＡＭなど）を行う方法のことを指す。
【０２９０】
図５６は、２個の直交リソースを用いてＭＳＭを行う例を示す。図４９のＰＵＣＣＨフォーマットが用いられると仮定する。便宜上、ＱＰＳＫ変調を用いて説明するが、これは説明のための例示に過ぎず、本発明に用いられる変調方式には制限がない。
【０２９１】
【表６７】
0005890391.tif 000080
【０２９２】
図５６で例示したＰＵＣＣＨフォーマットは、チャネル選択を用いてＵＣＩを伝送する場合にも用いることができる。チャネル選択は、Ｎ個の直交リソースから特定リソースを選択し、選択されたリソースを通じてＵＣＩ変調値を伝送する方法である。そのため、ｄ（０）及びｄ（１０）のいずれか一つは必ず０になり、ｄ（１）及びｄ（１１）のいずれか一つは必ず０になる。すなわち、ｄ（ｎ）及びｄ（ｎ＋１０）（ｎ＝０，１，…，９）のいずれか一つは０になる。
【０２９３】
表２８は、チャネル選択を用いてＵＣＩを伝送する場合のマッピングテーブルを例示する。変調はＱＰＳＫにする。この場合、チャネル選択を通じて３個のコーディングビットを一つのＳＣ−ＦＤＭＡシンボルを通じて伝送することができる。
【０２９４】
【表６８】
0005890391.tif 000081
【０２９５】
【表６９】
0005890391.tif 000082
【０２９６】
【数１３】
0005890391.tif 000083
【０２９７】
【表７０】
0005890391.tif 000084
【０２９８】
プリコーディングされたＭＳＭについてより具体的に説明する。便宜上、図５６の構造とＱＰＳＫ変調を仮定する。この場合、図５６のＰＵＣＣＨ構造を通じて伝送される総情報ビットの数は４０であり、総シンボルの数は２０になる。
【０２９９】
表２９及び図５６を参照すると、情報ビット列［ｂ０ ｂ１ ｂ２ ｂ３］は［ｓ１ ｓ２］に置換される。総情報ビットの数が４０個であるから、１０個の情報ビット列［ｂ０ ｂ１ ｂ２ ｂ３］から１０個の［ｓ１ ｓ２］が生成される。最初のＳＣ−ＦＤＭＡシンボルの場合（ｄ０，ｄ１０）、図５６でｄ０及びｄ１０にそれぞれｓ１とｓ２がマッピングされる。同様に、残りのＳＣ−ＦＤＭＡシンボルでもｄｎ、ｄｎ＋１０に該当のｓ１、ｓ２がマッピングされる。
【０３００】
図５７は、ＭＳＭを用いたＰＵＣＣＨフォーマット２とＳＲＳを同時伝送する方案を例示する。便宜上、２個の直交リソース（例、巡回シフト）を用いるＭＳＭを仮定し、これらは同じＰＲＢ上に存在すると仮定する。
【０３０１】
図５７を参照すると、第１の直交リソースは、巡回シフト＃０を含み、第２の直交リソースは巡回シフト＃１を含む。それぞれの直交リソースを用いて２個のＰＵＣＣＨフォーマット２を構成し、生成された２個のＰＵＣＣＨフォーマット２を合わせて伝送することができる。この場合、ＳＲＳ伝送を支援するために、ＭＳＭ ＰＵＣＣＨフォーマット２の最後のＳＣ−ＦＤＭＡシンボルはパンクチャリングされる。同図は、スロット０と１においてＲＳシンボル構造をそのまま維持するものの、スロット１の２番目のＲＳシンボルをＵＣＩシンボルに代えた場合を示す。図面は、ＲＳシンボルの構造をＰＵＣＣＨフォーマット２（標準ＣＰ）と同一に維持する場合を例示しているが、パンクチャリング後に残ったＲＳシンボルの個数／位置は変更可能である。同図は、パンクチャリングされた２つのＰＵＣＣＨフォーマットを生成した後に、これらを合わせてＭＳＭ伝送を行う場合を例示している。しかし、これは例示であり、２つの正常のＰＵＣＣＨフォーマットが合わせられてから最終的に１回のみパンクチャリングを行ってもよい。
【０３０２】
以下、図５８〜図６２を参照してＰＵＣＣＨフォーマット２とＳＲＳを同時伝送する他の方法を説明する。図５８〜図６２は、既存ＰＵＣＣＨフォーマット２のＲＳシンボル構造をそのまま維持する場合に、ｄ（９）のパンクチャリングによるコーディング損失を補償する方法を例示する。以下に述べるＰＵＣＣＨフォーマット２の方法は、単純拡張により図５６及び図５７のようにＭＳＭにも適用可能であることは明らかであるから、具体的な説明は省略する。
【０３０３】
図５８は、スロット１における２番目のＲＳ（あるいは、１番目のＲＳ）に変調を行う方法を例示する。図５８を参照すると、スロット１における２番目のＲＳに、パンクチャリングされるｄ（９）を変調する。ＲＳをｄ（９）で変調することは、ＲＳシーケンスにｄ（９）を掛けることを含む。ｄ（９）がＱＰＳＫ変調された場合に、ＲＳをｄ（９）で変調することは、ＲＳの位相をｄ（９）値によってシフトさせることに相当する。他の方案として、スロット１における１番目のＲＳにｄ（９）を変調したり、スロット０における１番目のＲＳにｄ（９）を変調したり、スロット０における２番目のＲＳにｄ（９）を変調したりできる。受信端は、１番目のＲＳと２番目のＲＳの位相を比較することによって、ｄ（９）のためのＬＬＲ（Ｌｏｇ−Ｌｉｋｅｌｉｈｏｏｄ  Ｒａｔｉｏ）を類推することができる。本例は、ｄ（９）がパンクチャリングされる場合を仮定しているが、これは例示であり、ｄ（９）は、任意のｄ（ｘ）（ｘ＝０，…，９）に代替可能である。
【０３０４】
図５９は、スロット０における２番目のＲＳ（あるいは、１番目のＲＳ）にも変調を行う方法を例示する。各スロットにおける２番目のＲＳにｄ（９）を反復して変調することによってダイバーシティ利得を得ることができる。同様に、各スロットにおける１番目のＲＳにｄ（９）を反復して変調することもできる。
【０３０５】
図６０は、全てのＲＳに変調を行う方法を例示する。全てのＲＳにｄ（９）を反復して変調することによって、より大きいダイバーシティ利得を得ることができる。
【０３０６】
図６１及び図６２は、拡張ＣＰの場合にＰＵＣＣＨフォーマット２とＳＲＳを同時伝送する例を示す。図６１は、あるスロット（例、スロット１）におけるＲＳにのみｄ（９）を変調した場合を示し、図６２は、全てのＲＳにｄ（９）を変調した場合を示す。この時、スロット単位の周波数ホッピングはディセーブル（ｄｉｓａｂｌｅ）されるとよい。ｄ（９）がＱＰＳＫシンボルの場合に、受信端は総４回のブラインドデコーディングを行うことができる。
【０３０７】
便宜上、上述した図５８〜図６２は、ＰＵＣＣＨフォーマット２を中心に説明したが、例示した内容は、図４６及び図４８のＤＦＴベースのＰＵＣＣＨ構造にも同一に適用可能である。
【０３０８】
多重アンテナ伝送方法を用いてＰＵＣＣＨを伝送する方案について説明する。便宜上、２Ｔｘ伝送ダイバーシティ手法を説明するが、下記の例示は、ｎ−Ｔｘ伝送ダイバーシティ手法にも同一に／類似に拡張可能である。便宜上、ＵＣＩ伝送のための直交リソースをリソースＡとし、ＲＳ伝送のための直交リソースをリソースＢとする。リソースＡとリソースＢの論理インデックスは互いにリンク可能である。例えば、リソースＢの論理インデックスが与えられると、リソースＡの論理インデックスが自動に与えられることが可能である。また、リソースＡとリソースＢに対する論理インデックスの物理的構成方法は互いに異なることがある。主に、下記の２つの場合が存在する。
【０３０９】
１）制御情報がいずれのアンテナ（ポート）からも同一のＰＲＢを通じて伝送されるようにすることができる。
【０３１０】
Ａ．制御情報は、アンテナ（ポート）別に与えられたリソースＡ（例、巡回シフト、周波数因子）を通じて伝送される。各アンテナ（ポート）のために与えられたリソースＡは互いに直交する。ＭＳＭが適用される場合に、各アンテナ（ポート）のためにＮ個の直交リソースが与えられる。
【０３１１】
Ｂ．ＲＳは、アンテナ（ポート）別に与えられたリソースＢ（例、巡回シフトとＤＦＴカバーとの組み合わせ）を通じて伝送される。各アンテナ（ポート）のために与えられたリソースＢは互いに直交する。
【０３１２】
２）制御情報がアンテナごとに異なるＰＲＢを通じて伝送されるようにすることができる。一例として、制御情報はアンテナ（ポート）０でＰＲＢ＃４を通じて伝送され、アンテナ（ポート）１でＰＲＢ＃６を通じて伝送されることがある。
【０３１３】
Ａ．互いに異なるアンテナ（ポート）を通じて伝送される制御情報間にはリソースが特に制約されない（すなわち、互いに同一でも異なってもよい）。
【０３１４】
Ｂ．互いに異なるアンテナ（ポート）を通じて伝送されるＲＳ間にはリソースが特別に制約されない（すなわち、互いに同一でも異なってもよい）。
【０３１５】
多重アンテナ伝送（例、２Ｔｘ伝送）モードで、制御情報伝送のための２個（あるいは２＊Ｎ個）のリソースＡとＲＳ伝送のための２個のリソースＢはあらかじめ定義されたり、物理制御チャネル（例、ＰＤＣＣＨ）／ＲＲＣシグナリングを通じて与えられたりする。この場合、制御情報とＲＳのためのシグナリングは個別に行われてもよく、または、いずれか一つのアンテナ（ポート）のためのリソース情報がシグナリングされると、いずかれ他のアンテナ（ポート）のためのリソース情報は、既にシグナリングされたリソース情報から類推されてもよい。
【０３１６】
図６３は、本発明の一実施例に適用されうる基地局及び端末を例示する。
【０３１７】
図６３を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成することができる。メモリー１１４は、プロセッサ１１２に接続し、プロセッサ１１２の動作と関連した様々な情報を記憶する。ＲＦユニット１１６は、プロセッサ１１２に接続し、無線信号を送信及び／または受信する。端末１２０は、プロセッサ１２２、メモリー１２４及びＲＦユニット１２６を含む。プロセッサ１２２は、本発明で提案した手順及び／または方法を具現するように構成することができる。メモリー１２４は、プロセッサ１２２に接続し、プロセッサ１２２の動作と関連した様々な情報を記憶する。ＲＦユニット１２６は、プロセッサ１２２に接続し、無線信号を送信及び／または受信する。基地局１１０及び／または端末１１０は、単一アンテナまたは多重アンテナを有することができる。
【０３１８】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０３１９】
本文書で、本発明の実施例は、端末と基地局間のデータ送受信関係を中心に説明されている。このような送受信関係は、端末とリレー間、または基地局とリレー間の信号送受信にも同一／類似に拡張される。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより実行できることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０３２０】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０３２１】
ファームウェアやソフトウェアによる具現の場合、本発明の一実施例は、以上で説明された機能または動作を行うモジュール、手順、関数などの形態で具現することができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを交換することができる。
【０３２２】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０３２３】
本発明は、無線移動通信システムにおける端末機、基地局、またはその他の装備に適用可能である。特に、本発明は、アップリンク制御情報を伝送する方法及びそのための装置に適用可能である。
【図１】
0005890391.tif 000087
【図２】
0005890391.tif 000088
【図３】
0005890391.tif 000089
【図４】
0005890391.tif 000090
【図５】
0005890391.tif 000091
【図６】
0005890391.tif 000092
【図７】
0005890391.tif 000093
【図８】
0005890391.tif 000094
【図９】
0005890391.tif 000095
【図１０】
0005890391.tif 000096
【図１１】
0005890391.tif 000097
【図１２Ａ】
0005890391.tif 000098
【図１２Ｂ】
0005890391.tif 000099
【図１３】
0005890391.tif 000100
【図１４】
0005890391.tif 000101
【図１５】
0005890391.tif 000102
【図１６】
0005890391.tif 000103
【図１７】
0005890391.tif 000104
【図１８】
0005890391.tif 000105
【図１９】
0005890391.tif 000106
【図２０】
0005890391.tif 000107
【図２１】
0005890391.tif 000108
【図２２】
0005890391.tif 000109
【図２３】
0005890391.tif 000110
【図２４】
0005890391.tif 000111
【図２５】
0005890391.tif 000112
【図２６】
0005890391.tif 000113
【図２７】
0005890391.tif 000114
【図２８】
0005890391.tif 000115
【図２９Ａ】
0005890391.tif 000116
【図２９Ｂ】
0005890391.tif 000117
【図２９Ｃ】
0005890391.tif 000118
【図２９Ｄ】
0005890391.tif 000119
【図２９Ｅ】
0005890391.tif 000120
【図２９Ｆ】
0005890391.tif 000121
【図３０】
0005890391.tif 000122
【図３１】
0005890391.tif 000123
【図３２】
0005890391.tif 000124
【図３３】
0005890391.tif 000125
【図３４】
0005890391.tif 000126
【図３５Ａ】
0005890391.tif 000127
【図３５Ｂ】
0005890391.tif 000128
【図３６Ａ】
0005890391.tif 000129
【図３６Ｂ】
0005890391.tif 000130
【図３７Ａ】
0005890391.tif 000131
【図３７Ｂ】
0005890391.tif 000132
【図３８Ａ】
0005890391.tif 000133
【図３８Ｂ】
0005890391.tif 000134
【図３９Ａ】
0005890391.tif 000135
【図３９Ｂ】
0005890391.tif 000136
【図４０Ａ】
0005890391.tif 000137
【図４０Ｂ】
0005890391.tif 000138
【図４１】
0005890391.tif 000139
【図４２Ａ】
0005890391.tif 000140
【図４２Ｂ】
0005890391.tif 000141
【図４２Ｃ】
0005890391.tif 000142
【図４２Ｄ】
0005890391.tif 000143
【図４２Ｅ】
0005890391.tif 000144
【図４２Ｆ】
0005890391.tif 000145
【図４３】
0005890391.tif 000146
【図４４】
0005890391.tif 000147
【図４５】
0005890391.tif 000148
【図４６】
0005890391.tif 000149
【図４７Ａ】
0005890391.tif 000150
【図４７Ｂ】
0005890391.tif 000151
【図４８Ａ】
0005890391.tif 000152
【図４８Ｂ】
0005890391.tif 000153
【図４９】
0005890391.tif 000154
【図５０】
0005890391.tif 000155
【図５１】
0005890391.tif 000156
【図５２】
0005890391.tif 000157
【図５３】
0005890391.tif 000158
【図５４】
0005890391.tif 000159
【図５５】
0005890391.tif 000160
【図５６】
0005890391.tif 000161
【図５７】
0005890391.tif 000162
【図５８】
0005890391.tif 000163
【図５９】
0005890391.tif 000164
【図６０】
0005890391.tif 000165
【図６１】
0005890391.tif 000166
【図６２】
0005890391.tif 000167
【図６３】
0005890391.tif 000168